(57)【要約】【課題】演算回路の規模の増大を抑えつつ短時間で波長配置の調整を行うこと。【解決手段】制御部１１３は、生成部１１１ａ〜１１１ｃに含まれる生成部が生成するモニタ用の信号光の波長を変化させながら、モニタ用の信号光の伝送装置１２０における受信品質のモニタを行う。また、制御部１１３は、モニタの結果に基づいて、各信号光のうちの最も長波長の第１信号光および最も短波長の第２信号光の各波長を決定し、決定した各波長に基づいて各信号光のうちの第１信号光および第２信号光を除く信号光の波長を決定する。そして、制御部１１３は、決定した各波長の信号光を生成するように生成部１１１ａ〜１１１ｃの制御を行う。【選択図】図１
2017163423.tif 000002
【特許請求の範囲】
【請求項１】
送信された信号光から光フィルタにより所定帯域の光成分を抽出し、抽出した前記光成分に含まれる信号光を受信する受信側の伝送装置へ信号光を送信する伝送装置であって、
前記所定帯域に含まれる波長の各信号光を生成する複数の生成部と、
前記複数の生成部によって生成された前記各信号光を合波して前記受信側の伝送装置へ送信する送信部と、
前記複数の生成部に含まれる生成部が生成するモニタ用の信号光の波長を変化させながら、前記モニタ用の信号光の前記受信側の伝送装置における受信品質のモニタを行い、前記モニタの結果に基づいて、前記各信号光のうちの最も長波長の第１信号光および最も短波長の第２信号光の各波長を決定し、決定した前記各波長に基づいて前記各信号光のうちの前記第１信号光および前記第２信号光を除く信号光の波長を決定し、前記各信号光の波長の決定結果に基づいて前記各信号光の波長の制御を行う制御部と、
を備えることを特徴とする伝送装置。
【請求項２】
前記制御部は、前記第１信号光および前記第２信号光の各波長を、前記受信品質がそれぞれ所定品質となるように決定することを特徴とする請求項１に記載の伝送装置。
【請求項３】
前記制御部は、前記各信号光の波長が等間隔になるように前記各信号光のうちの前記第１信号光および前記第２信号光を除く信号光の波長を決定することを特徴とする請求項１または２に記載の伝送装置。
【請求項４】
前記制御部は、
前記各信号光の波長の制御を、ユーザデータに基づいて前記複数の生成部によって生成された各信号光を前記送信部によって合波して前記受信側の伝送装置へ送信する運用の前に行い、
前記運用を開始した後に、前記複数の生成部によって生成された前記各信号光の少なくともいずれかの前記受信側の伝送装置における受信品質に基づいて、前記複数の生成部によって生成される前記各信号光の少なくともいずれかの波長を制御する、
ことを特徴とする請求項１〜３のいずれか一つに記載の伝送装置。
【請求項５】
前記受信側の伝送装置は、前記送信部によって送信された信号光と局発光を混合することにより前記送信された信号光を受信し、
前記制御部は、前記モニタ用の信号光の波長を変化させる際に、前記局発光の波長を前記モニタ用の信号光の波長と合わせて変化させる、
ことを特徴とする請求項１〜４のいずれか一つに記載の伝送装置。
【請求項６】
前記制御部は、前記モニタを行う際の前記光フィルタの前記所定帯域を、ユーザデータに基づいて前記複数の生成部によって生成された各信号光を前記送信部によって合波して前記受信側の伝送装置へ送信する運用の際の前記光フィルタの前記所定帯域より狭く設定することを特徴とする請求項１〜５のいずれか一つに記載の伝送装置。
【請求項７】
前記制御部は、前記モニタを行う際の前記モニタ用の信号光のスペクトラムの幅を、ユーザデータに基づいて前記複数の生成部によって生成された各信号光を前記送信部によって合波して前記受信側の伝送装置へ送信する運用の際の前記各信号光のスペクトラムの幅より広く設定することを特徴とする請求項１〜６のいずれか一つに記載の伝送装置。
【請求項８】
前記制御部は、
前記モニタ用の信号光の波長を前記第１信号光の波長の候補の範囲で変化させた際の前記モニタの結果に基づいて前記第１信号光の波長を決定し、
前記モニタ用の信号光の波長を前記第２信号光の波長の候補の範囲で変化させた際の前記モニタの結果に基づいて前記第２信号光の波長を決定し、
前記第１信号光および前記第２信号光のうちの一方の信号光の波長の決定結果に基づいて、前記モニタ用の信号光の波長を前記第１信号光および前記第２信号光のうちの他方の信号光の波長の候補の範囲で変化させる際の前記候補の範囲を設定する、
ことを特徴とする請求項１〜７のいずれか一つに記載の伝送装置。
【請求項９】
前記制御部は、前記各信号光の波長の制御を行った後に、前記第１信号光および前記第２信号光の少なくとも一方と、前記各信号光のうちの前記第１信号光および前記第２信号光を除く信号光と、の前記受信側の伝送装置における各受信品質を比較し、前記各受信品質の比較結果に基づいて前記第１信号光および前記第２信号光の少なくとも一方の波長を制御することを特徴とする請求項１〜８のいずれか一つに記載の伝送装置。
【請求項１０】
前記制御部は、前記各信号光のそれぞれの波長間隔が、前記各信号光の各スペクトラムの幅に応じた波長間隔となるように、前記各信号光のうちの前記第１信号光および前記第２信号光を除く信号光の波長を決定することを特徴とする請求項１〜９のいずれか一つに記載の伝送装置。
【請求項１１】
所定帯域に含まれる波長の各信号光を合波して送信する送信側の伝送装置により送信された信号光から前記所定帯域の光成分を抽出する光フィルタと、
前記光フィルタによって抽出された前記光成分に含まれる信号光を受信する受信部と、
前記送信側の伝送装置において前記各信号光を生成する複数の生成部に含まれる生成部が生成するモニタ用の信号光の波長を変化させながら、前記モニタ用の信号光が生成する信号光の前記受信側の伝送装置における受信品質のモニタを行い、前記モニタの結果に基づいて、前記各信号光のうちの最も長波長の第１信号光および最も短波長の第２信号光の各波長を決定し、決定した前記各波長に基づいて前記各信号光のうちの前記第１信号光および前記第２信号光を除く信号光の波長を決定し、前記各信号光の波長の決定結果に基づいて前記各信号光の波長の制御を行う制御部と、
を備えることを特徴とする伝送装置。
【請求項１２】
所定帯域に含まれる波長の各信号光を合波して送信する送信側の伝送装置と、前記送信側の伝送装置から送信された信号光から光フィルタにより前記所定帯域の光成分を抽出し、抽出した前記光成分に含まれる信号光を受信する受信側の伝送装置と、を含む伝送システムにおける波長設定方法であって、
前記送信側の伝送装置において前記各信号光を生成する複数の生成部に含まれる生成部が生成するモニタ用の信号光の波長を変化させながら、前記モニタ用の信号光の前記受信側の伝送装置における受信品質のモニタを行い、
前記モニタの結果に基づいて、前記各信号光のうちの最も長波長の第１信号光および最も短波長の第２信号光の各波長を決定し、
決定した前記各波長に基づいて前記各信号光のうちの前記第１信号光および前記第２信号光を除く信号光の波長を決定し、
前記各信号光の波長の決定結果に基づいて前記各信号光の波長の制御を行う、
ことを特徴とする波長設定方法。
【発明の詳細な説明】
【技術分野】
【０００１】
本発明は、伝送装置および波長設定方法に関する。
【背景技術】
【０００２】
従来、複数の波長の信号光を同時に用いて通信するＷＤＭ（Ｗａｖｅｌｅｎｇｔｈ  Ｄｉｖｉｓｉｏｎ  Ｍｕｌｔｉｐｌｅｘｉｎｇ：波長分割多重）システムが知られている。また、運用開始前において特定周波数成分の強度を測定しながら広い範囲にわたって波長可変光源の波長を掃引し、最適波長を決定する技術が知られている（たとえば、下記特許文献１参照。）。
【先行技術文献】
【特許文献】
【０００３】
【特許文献１】特開平１１−３４６１９１号公報
【発明の概要】
【発明が解決しようとする課題】
【０００４】
しかしながら、上述した従来技術では、たとえば、各信号光の波長配置の調整に時間がかかるという問題や、各信号光の波長配置の調整のための演算回路の規模が大きくなるという問題がある。
【０００５】
１つの側面では、本発明は、演算回路の規模の増大を抑えつつ短時間で波長配置の調整を行うことができる伝送装置および波長設定方法を提供することを目的とする。
【課題を解決するための手段】
【０００６】
上述した課題を解決し、目的を達成するため、本発明の一側面によれば、所定帯域に含まれる波長の各信号光を合波して送信する送信側の伝送装置と、前記送信側の伝送装置から送信された信号光から光フィルタにより前記所定帯域の光成分を抽出し、抽出した前記光成分に含まれる信号光を受信する受信側の伝送装置と、を含む伝送システムにおいて、前記送信側の伝送装置において前記各信号光を生成する複数の生成部に含まれる生成部が出力するモニタ用の信号光の波長を変化させながら、前記モニタ用の信号光の前記受信側の伝送装置における受信品質のモニタを行い、前記モニタの結果に基づいて、前記各信号光のうちの最も長波長の第１信号光および最も短波長の第２信号光の各波長を決定し、決定した前記各波長に基づいて前記各信号光のうちの前記第１信号光および前記第２信号光を除く信号光の波長を決定し、前記各信号光の波長の決定結果に基づいて前記各信号光の波長の制御を行う伝送装置および波長設定方法が提案される。
【発明の効果】
【０００７】
本発明の一側面によれば、演算回路の規模の増大を抑えつつ短時間で波長配置の調整を行うことができるという効果を奏する。
【図面の簡単な説明】
【０００８】
【図１】図１は、実施の形態１にかかる伝送システムの一例を示す図である。
【図２】図２は、実施の形態１にかかる伝送システムに適用可能なスーパーチャネル方式の一例を示す図である。
【図３】図３は、実施の形態１にかかる光伝送システムの一例を示す図である。
【図４】図４は、実施の形態１にかかる光送信機の一例を示す図である。
【図５】図５は、実施の形態１にかかる光受信機の一例を示す図である。
【図６】図６は、実施の形態１にかかる光伝送システムにおいてサブキャリア間の間隔が狭い場合の一例を示す図である。
【図７】図７は、実施の形態１にかかる光伝送システムにおいてサブキャリアと制限帯域との間の間隔が狭い場合の一例を示す図である。
【図８】図８は、実施の形態１にかかる光伝送システムにおける低周波側のサブキャリアのスイープの一例を示す図である。
【図９】図９は、実施の形態１にかかる光伝送システムにおけるサブキャリア＃１の周波数の決定の一例を示す図である。
【図１０】図１０は、実施の形態１にかかる伝送システムにおける高周波側のサブキャリアのスイープの一例を示す図である。
【図１１】図１１は、実施の形態１にかかる伝送システムにおけるサブキャリア＃４の周波数の決定の一例を示す図である。
【図１２】図１２は、実施の形態１にかかる光伝送システムにおけるサブキャリア＃３の周波数の決定の一例を示す図である。
【図１３】図１３は、実施の形態１にかかる光伝送システムにおけるサブキャリア＃４の周波数の決定の一例を示す図である。
【図１４】図１４は、実施の形態１にかかる制御回路による運用開始時の処理の一例を示すフローチャート（その１）である。
【図１５】図１５は、実施の形態１にかかる制御回路による運用開始時の処理の一例を示すフローチャート（その２）である。
【図１６】図１６は、実施の形態２にかかる光伝送システムにおける高周波側のサブキャリアのスイープの一例を示す図である。
【図１７】図１７は、実施の形態２にかかる光伝送システムにおけるサブキャリア＃１の周波数の決定の一例を示す図である。
【図１８】図１８は、実施の形態２にかかる制御回路による運用開始時の処理の一例を示すフローチャート（その１）である。
【図１９】図１９は、実施の形態２にかかる制御回路による運用開始時の処理の一例を示すフローチャート（その２）である。
【図２０】図２０は、実施の形態３にかかる制御回路による運用中の周波数制御処理の一例を示すフローチャート（その１）である。
【図２１】図２１は、実施の形態３にかかる制御回路による運用中の周波数制御処理の一例を示すフローチャート（その２）である。
【図２２】図２２は、実施の形態３にかかる制御回路による運用中の周波数制御処理の一例を示すフローチャート（その３）である。
【図２３】図２３は、実施の形態３にかかる制御回路による運用中の周波数制御処理の別の一例を示すフローチャート（その１）である。
【図２４】図２４は、実施の形態３にかかる制御回路による運用中の周波数制御処理の別の一例を示すフローチャート（その２）である。
【図２５】図２５は、実施の形態３にかかる制御回路による運用中の周波数制御処理の別の一例を示すフローチャート（その３）である。
【図２６】図２６は、実施の形態３にかかる制御回路による運用中の周波数制御処理の別の一例を示すフローチャート（その４）である。
【図２７】図２７は、実施の形態４にかかる光伝送システムの一例を示す図である。
【図２８】図２８は、実施の形態４にかかる光受信機の一例を示す図である。
【図２９】図２９は、実施の形態４にかかる制御回路による運用開始時の処理の一例を示すフローチャート（その１）である。
【図３０】図３０は、実施の形態４にかかる制御回路による運用開始時の処理の一例を示すフローチャート（その２）である。
【図３１】図３１は、実施の形態５にかかる光伝送システムの一例を示す図である。
【図３２】図３２は、実施の形態５にかかる光チャネルフィルタの透過帯域の設定の一例を示す図である。
【図３３】図３３は、実施の形態５にかかる制御回路による運用開始時の処理の一例を示すフローチャートである。
【図３４】図３４は、実施の形態６にかかる制御回路による各サブキャリアのボーレートの設定の一例を示す図である。
【図３５】図３５は、実施の形態６にかかる制御回路による運用開始時の処理の一例を示すフローチャートである。
【図３６】図３６は、実施の形態６にかかる制御回路による立ち上げ時のナイキストフィルタの設定の一例を示す図である。
【図３７】図３７は、実施の形態６にかかる制御回路による運用時のナイキストフィルタの設定の一例を示す図である。
【図３８】図３８は、実施の形態７にかかる光伝送システムにおける低周波側のサブキャリアのスイープの一例を示す図である。
【図３９】図３９は、実施の形態７にかかる光伝送システムにおける高周波側のサブキャリアのスイープの一例を示す図である。
【図４０】図４０は、実施の形態８にかかる制御回路による運用開始時の処理の一例を示すフローチャート（その１）である。
【図４１】図４１は、実施の形態８にかかる制御回路による運用開始時の処理の一例を示すフローチャート（その２）である。
【図４２】図４２は、実施の形態９にかかる光伝送システムにおける各サブキャリアの一例を示す図である。
【図４３】図４３は、実施の形態９にかかる光伝送システムにおける両端以外のサブキャリアの周波数の決定の一例を示す図（その１）である。
【図４４】図４４は、実施の形態９にかかる光伝送システムにおける両端以外のサブキャリアの周波数の決定の一例を示す図（その２）である。
【発明を実施するための形態】
【０００９】
以下に図面を参照して、本発明にかかる伝送装置および波長設定方法の実施の形態を詳細に説明する。
【００１０】
（実施の形態１）
（実施の形態１にかかる伝送システム）
図１は、実施の形態１にかかる伝送システムの一例を示す図である。図１に示すように、実施の形態１にかかる伝送システム１００は、伝送装置１１０と、伝送装置１２０と、を含む。伝送装置１１０は、所定帯域に含まれる波長（周波数）の各信号光であって、互いに異なる波長の各信号光を合波して送信する送信側の伝送装置である。所定帯域は、一例としては後述のスーパーチャネル１個の帯域である。伝送装置１２０は、伝送装置１１０によって送信された信号光から光フィルタにより所定帯域の光成分を抽出し、抽出した光成分に含まれる信号光を受信する受信側の伝送装置である。
【００１１】
伝送装置１１０は、たとえば、生成部１１１ａ〜１１１ｃと、送信部１１２と、制御部１１３と、を備える。生成部１１１ａ〜１１１ｃは、所定帯域に含まれる波長の各信号光であって、互いに異なる波長の各信号光を生成する複数の生成部である。生成部１１１ａ〜１１１ｃが生成する各信号光の波長は制御部１１３によって制御される。生成部１１１ａ〜１１１ｃは、それぞれ生成した信号光を送信部１１２へ出力する。
【００１２】
送信部１１２は、生成部１１１ａ〜１１１ｃから出力された各信号光を合波し、合波した信号光を伝送装置１２０へ送信する。生成部１１１ａ〜１１１ｃから出力された各信号光は、互いに波長が異なる各信号光であるため、送信部１１２によって合波することで波長多重することができる。
【００１３】
制御部１１３は、生成部１１１ａ〜１１１ｃに含まれる生成部が生成するモニタ用の信号光の波長を変化させながら、波長を変化させた信号光の伝送装置１２０における受信品質のモニタを行う。モニタ用の信号光は、信号光の波長を決定するための受信品質のモニタに使用可能な信号光であって、テスト用の信号光であってもよいし、実データを含む信号光であってもよい。なお、信号光の波長の変化は、信号光の周波数の変化である。たとえば、制御部１１３は、生成部１１１ａが生成する信号光の波長を変化させながら、生成部１１１ａによって生成された信号光の伝送装置１２０における受信品質の検出結果を伝送装置１２０から受信することにより受信品質のモニタを行う。
【００１４】
また、制御部１１３は、生成部１１１ａが生成する信号光の波長を、少なくとも２通りの波長に変化させ、少なくとも２通りの波長とした時の各受信品質の検出結果を伝送装置１２０から受信する。
【００１５】
制御部１１３は、受信品質のモニタ結果に基づいて、生成部１１１ａ〜１１１ｃが生成する各信号光のうちの最も長波長（低周波）の第１信号光および最も短波長（高周波）の第２信号光の各波長を決定する。なお、信号光の波長の決定は、信号光の周波数の決定である。たとえば、制御部１１３は、最も長波長の第１信号光として生成部１１１ａが生成する信号光の波長Ｆａを決定し、最も短波長の第２信号光として生成部１１１ｃが生成する信号光の波長Ｆｃを決定する。
【００１６】
また、制御部１１３は、決定した第１信号光および第２信号光の各波長に基づく演算により、生成部１１１ａ〜１１１ｃが生成する各信号光のうちの第１信号光および第２信号光を除く信号光の波長を決定する。たとえば、制御部１１３は、各信号光のうちの第１信号光および第２信号光を除く信号光として、生成部１１１ｂが生成する信号光の波長Ｆｂを、波長Ｆａ，Ｆｃに基づく演算により決定する。
【００１７】
たとえば、制御部１１３は、生成部１１１ａ〜１１１ｃが生成する各信号光の波長が等間隔になるように、各信号光のうちの第１信号光および第２信号光を除く信号光の波長を決定する。たとえば、制御部１１３は、生成部１１１ｂが生成する信号光の波長Ｆｂを、Ｆｂ＝（Ｆａ＋Ｆｃ）／２によって決定する。
【００１８】
そして、制御部１１３は、決定した各波長の信号光を生成するように生成部１１１ａ〜１１１ｃを制御する。なお、決定した各波長の信号光を生成するように生成部１１１ａ〜１１１ｃを制御することは、決定した各周波数の信号光を生成するように生成部１１１ａ〜１１１ｃを制御することである。これにより、たとえば、伝送装置１１０から伝送装置１２０へ実際のデータを信号光により送信する運用の開始時における、生成部１１１ａ〜１１１ｃの各波長を設定することができる。
【００１９】
伝送装置１２０は、光フィルタ１２１と、受信部１２２と、を備える。光フィルタ１２１は、伝送装置１１０により送信された信号光から、所定帯域の光成分を抽出し、抽出した所定帯域の光成分を受信部１２２へ出力する。たとえば、光フィルタ１２１は、所定帯域における透過率が所定帯域以外における透過率より高い波長透過特性を有する光フィルタである。一例としては、光フィルタ１２１は、ＬＣＯＳ（Ｌｉｑｕｉｄ  Ｃｒｙｓｔａｌ  Ｏｎ  Ｓｉｌｉｃｏｎ）素子により実現することができる。
【００２０】
受信部１２２は、光フィルタ１２１から出力された所定帯域の光成分に含まれる信号光を受信する。たとえば、受信部１２２は、光フィルタ１２１から出力された所定帯域の光成分に含まれる、生成部１１１ａ〜１１１ｃによって生成された各信号光を受信する。また、受信部１２２は、生成部１１１ａ〜１１１ｃに含まれる生成部が生成する信号光の波長が制御部１１３によって変化している場合に、受信した各信号光の受信品質の検出結果を制御部１１３へ送信する。
【００２１】
このように、伝送装置１１０は、生成部１１１ａ〜１１１ｃのいずれかの生成部が生成する信号光の波長を変化させながら、その生成部が生成する信号光の伝送装置１２０における受信品質のモニタを行う。また、伝送装置１１０は、モニタの結果に基づいて、最も長波長の第１信号光および最も短波長の第２信号光の各波長を決定し、決定した各波長に基づく演算により残りの信号光の波長を決定する。そして、伝送装置１１０は、決定した各波長の信号光を生成するように生成部１１１ａ〜１１１ｃを制御する。
【００２２】
これにより、第１信号光および第２信号光の各波長に基づく簡単な演算によって、第１信号光および第２信号光以外の信号光の波長を決定することができる。このため、演算回路の規模の増大を抑えつつ短時間で波長配置の調整を行うことができる。
【００２３】
また、図１に示す例では制御部１１３を伝送装置１１０に設ける構成について説明したが、このような構成に限らない。たとえば、制御部１１３を伝送装置１２０に設ける構成としてもよい。この場合に、制御部１１３は、たとえば、生成部１１１ａが生成する信号光の波長を変化させる制御信号を伝送装置１１０へ送信し、生成部１１１ａが生成する信号光の受信部１２２における受信品質の検出結果を受信部１２２から取得することによりモニタを行う。また、制御部１１３は、決定した各波長の信号光を生成することを指示する制御信号を伝送装置１１０へ送信することにより、決定した各波長の信号光を生成するように生成部１１１ａ〜１１１ｃを制御する。また、制御部１１３を、伝送装置１１０および伝送装置１２０と異なる装置に設ける構成としてもよい。
【００２４】
また、伝送装置１１０が送信側の伝送装置であり、伝送装置１２０が受信側の伝送装置である構成について説明したが、伝送装置１１０は、伝送装置１２０などの他の伝送装置からの信号光を受信する構成をさらに備えていてもよい。また、伝送装置１２０は、伝送装置１１０などの他の伝送装置へ信号光を送信する構成をさらに備えていてもよい。
【００２５】
また、伝送装置１１０が３個の生成部（生成部１１１ａ〜１１１ｃ）を備えて３個の信号光を波長多重する構成について説明したが、このような構成に限らない。たとえば、伝送装置１１０が４個以上の生成部を備えて４個以上の信号光を波長多重する構成としてもよい。この場合は、上述した各信号光のうちの第１信号光および第２信号光を除く信号光が複数の信号光になる。
【００２６】
（実施の形態１にかかる伝送システムに適用可能なスーパーチャネル方式）
図２は、実施の形態１にかかる伝送システムに適用可能なスーパーチャネル方式の一例を示す図である。図２において、横軸は信号光の周波数を示し、縦軸は光強度（Ｐｏｗｅｒ）を示す。図２に示すスーパーチャネル２１０，２２０は、それぞれ複数の信号光を束ねたチャネルである。図２に示す例では、スーパーチャネル２１０には、サブキャリア２１１〜２１４が含まれている。スーパーチャネル２２０には、サブキャリア２２１〜２２４が含まれている。サブキャリア２１１〜２１４，２２１〜２２４は、互いに異なる周波数に配置された信号光である。
【００２７】
スーパーチャネル方式によれば、サブキャリア２１１〜２１４，２２１〜２２４の周波数をフレキシブルに設定することにより、周波数の帯域を効率的に使用し、従来のＷＤＭ方式と比べて伝送容量の拡大を図ることができる。
【００２８】
（実施の形態１にかかる光伝送システム）
図３は、実施の形態１にかかる光伝送システムの一例を示す図である。図３に示す光伝送システム３００は、送信側の伝送装置３１０と、受信側の伝送装置３２０と、制御回路３３０と、を含む。ここでは、１個のスーパーチャネルに４個のサブキャリア（サブキャリア＃１〜＃４）を収容する場合について説明する。図１に示した伝送装置１１０は、たとえば伝送装置３１０により実現することができる。図１に示した伝送装置１２０は、たとえば伝送装置３２０により実現することができる。図１に示した制御部１１３は、たとえば制御回路３３０により実現することができる。
【００２９】
制御回路３３０は、伝送装置３１０に設けられていてもよいし、伝送装置３２０に設けられていてもよいし、伝送装置３１０，３２０とは異なる装置に設けられていてもよい。制御回路３３０が伝送装置３１０，３２０との間で行う通信には、光伝送路３０１などの光伝送路や、電気信号回線、無線回線など各種の伝送路を用いることができる。ここでは制御回路３３０が伝送装置３２０に設けられる場合について説明する。
【００３０】
伝送装置３１０は、光送信機３１１ａ〜３１１ｄ（＃１〜＃４）と、光合波器３１２と、送信制御部３１３と、を備える。図１に示した生成部１１１ａ〜１１１ｃは、たとえば光送信機３１１ａ〜３１１ｄにより実現することができる。図１に示した送信部１１２は、たとえば光合波器３１２により実現することができる。
【００３１】
光送信機３１１ａ〜３１１ｄのそれぞれは、入力された電気信号に基づく信号光（コヒーレント光）を生成し、生成した信号光を光合波器３１２へ出力する。光送信機３１１ａ〜３１１ｄが生成する各信号光の周波数（波長）は、１個のスーパーチャネル分の帯域に含まれ、かつ互いに異なる周波数になるように送信制御部３１３によって制御される。
【００３２】
光送信機３１１ａ〜３１１ｄが生成する信号をそれぞれサブキャリア＃１〜＃４とし、サブキャリア＃１〜＃４によって１個のスーパーチャネルが構成される。サブキャリア＃１〜＃４のうち、サブキャリア＃１が最も周波数が低く（波長が長く）、続いてサブキャリア＃２，＃３，＃４の順に周波数が高い（波長が短い）。
【００３３】
光合波器３１２は、光送信機３１１ａ〜３１１ｄから出力された各信号光（サブキャリア＃１〜＃４）を合波する。光送信機３１１ａ〜３１１ｄから出力された各信号光（サブキャリア＃１〜＃４）は、上述したように互いに周波数が異なっているため、光合波器３１２によって合波されることにより波長多重される。光合波器３１２は、合波した信号光を、光伝送路３０１を介して伝送装置３２０へ送信する。光合波器３１２は、たとえば光カプラなどの光素子によって実現することができる。
【００３４】
図３に示す例では、光合波器３１２に１個のスーパーチャネルであるサブキャリア＃１〜＃４が入力される場合について説明したが、光合波器３１２には複数のスーパーチャネルが入力されてもよい。この場合は、光合波器３１２は、複数のスーパーチャネルの各サブキャリアを合波して送信する。
【００３５】
送信制御部３１３は、制御回路３３０からの指示に従って、光送信機３１１ａ〜３１１ｄの発光のオン／オフや、光送信機３１１ａ〜３１１ｄが生成する各信号光の周波数（波長）を制御する。また、送信制御部３１３は、制御回路３３０からの指示に従って、光送信機３１１ａ〜３１１ｄが生成する各信号光の変調方式（ボーレート）や帯域幅等を制御する機能を有していてもよい。
【００３６】
伝送装置３２０は、光チャネルフィルタ３２１と、光受信機３２２ａ〜３２２ｄと、を備える。図１に示した光フィルタ１２１は、たとえば光チャネルフィルタ３２１により実現することができる。図１に示した受信部１２２は、たとえば光受信機３２２ａ〜３２２ｄにより実現することができる。
【００３７】
光チャネルフィルタ３２１は、１個のスーパーチャネル分の帯域幅を有する光フィルタである。光チャネルフィルタ３２１は、伝送装置３１０から光伝送路３０１を介して送信された信号光のうちの、サブキャリア＃１〜＃４のスーパーチャネルの帯域（所定帯域）の信号光を抽出し、抽出した信号光を光受信機３２２ａ〜３２２ｄへ出力する。
【００３８】
これにより、光チャネルフィルタ３２１から光受信機３２２ａ〜３２２ｄのそれぞれに対してサブキャリア＃１〜＃４を含むスーパーチャネルが出力される。周波数透過特性３２１ａは、光チャネルフィルタ３２１における、周波数に対する透過率の特性を示す。周波数透過特性３２１ａは、サブキャリア＃１〜＃４を含むスーパーチャネルの帯域において高い透過率となり、それ以外の帯域において低い透過率となる特性である。
【００３９】
たとえば、光受信機３２２ａは、光チャネルフィルタ３２１から出力されたサブキャリア＃１〜＃４のうちのサブキャリア＃１を受信し、サブキャリア＃１の受信結果（復号結果）を出力する。また、光受信機３２２ａは、サブキャリア＃１の受信品質を検出し、検出した受信品質を示す受信品質情報を制御回路３３０へ出力する。
【００４０】
同様に、光受信機３２２ｂ〜３２２ｄは、光チャネルフィルタ３２１から出力されたサブキャリア＃１〜＃４のうちのそれぞれサブキャリア＃２〜＃４を受信し、それぞれサブキャリア＃２〜＃４の受信結果（復号結果）を出力する。また、光受信機３２２ｂ〜３２２ｄは、それぞれサブキャリア＃２〜＃４の受信品質を検出し、検出した受信品質を示す受信品質情報を制御回路３３０へ出力する。
【００４１】
光受信機３２２ａ〜３２２ｄが検出する受信品質は、一例としてはＢＥＲ（Ｂｉｔ  Ｅｒｒｏｒ  Ｒａｔｅ：ビット誤り率）とすることができる。ただし、受信品質には、ＢＥＲに限らず、たとえば、受信電力、Ｑ値、クロック外れの状態、再送回数、ＦＥＣの誤り訂正数、ＢＬＥＲなど各種の受信品質を用いることができる。ＦＥＣはＦｏｒｗａｒｄ  Ｅｒｒｏｒ  Ｃｏｒｒｅｃｔｉｏｎ（前方誤り訂正）の略である。ＢＬＥＲはＢＬｏｃｋ  Ｅｒｒｏｒ  Ｒａｔｉｏ（ブロック誤り率）の略である。
【００４２】
ただし、光受信機３２２ａ〜３２２ｄのうちの、制御回路３３０が受信品質情報を取得しないサブキャリアに対応する光受信機は、受信品質の検出および受信品質情報の出力を行わなくてもよい。
【００４３】
制御回路３３０は、光受信機３２２ａ〜３２２ｄから出力された受信品質情報に基づいて、送信制御部３１３に対し、光送信機３１１ａ〜３１１ｄが生成する各信号光の周波数の制御を指示する制御信号を送信する。制御回路３３０による制御については後述する。
【００４４】
（実施の形態１にかかる光送信機）
図４は、実施の形態１にかかる光送信機の一例を示す図である。図３に示した光送信機３１１ａ〜３１１ｄのそれぞれは、たとえば図４に示す光送信機４００により実現することができる。光送信機４００は、一例としては１００［Ｇｂｐｓ］のコヒーレント方式の光送信機である。
【００４５】
光送信機４００は、ＤＳＰ４１０と、光変調器ドライバ４２０と、チューナブルＬＤ４３０と、光変調器４４０と、を備える。ＤＳＰはＤｉｇｉｔａｌ  Ｓｉｇｎａｌ  Ｐｒｏｃｅｓｓｏｒ（デジタル信号プロセッサ）の略である。ＬＤはＬａｓｅｒ  Ｄｉｏｄｅ（レーザダイオード）の略である。
【００４６】
ＤＳＰ４１０は、入力された電気信号に基づく各種の符号化処理等の信号処理を行い、信号処理によって得られた送信信号を光変調器ドライバ４２０へ出力するＬＳＩ（Ｌａｒｇｅ  Ｓｃａｌｅ  Ｉｎｔｅｇｒａｔｉｏｎ：大規模集積回路）である。図４に示す例では、４チャネルの送信信号がＤＳＰ４１０から光変調器ドライバ４２０へ出力される。
【００４７】
光変調器ドライバ４２０は、ＤＳＰ４１０から出力された送信信号に基づいて光変調器４４０を駆動する、光変調器４４０の駆動回路である。たとえば、光変調器ドライバ４２０は、ＤＳＰ４１０から出力された送信信号に応じた駆動電流を生成し、生成した駆動電流を光変調器４４０へ出力する。図４に示す例では、４チャネルの駆動電流が光変調器ドライバ４２０から光変調器４４０へ出力される。
【００４８】
チューナブルＬＤ４３０は、連続光を発振して光変調器４４０へ出力する。チューナブルＬＤ４３０が発振する連続光の周波数（中心周波数）は、図３に示した送信制御部３１３によって制御される。
【００４９】
光変調器４４０は、チューナブルＬＤ４３０から出力された連続光を、光変調器ドライバ４２０からの駆動電流に応じて変調する外部変調器である。光変調器４４０は、変調により得られた信号光（コヒーレント光）を１個のサブキャリアとして図３に示した光合波器３１２へ出力する。光変調器４４０には、一例としてはマッハツェンダ型の光変調器を用いることができる。
【００５０】
光変調器４４０から出力される信号光（サブキャリア）の周波数は、チューナブルＬＤ４３０に設定された周波数と同じになる。図４に示す例では、光変調器４４０から出力される信号光は、一例としては、ＩＱチャネルおよびＸ，Ｙ偏波チャネルからなる４チャネルの信号光である。
【００５１】
（実施の形態１にかかる光受信機）
図５は、実施の形態１にかかる光受信機の一例を示す図である。図３に示した光受信機３２２ａ〜３２２ｄのそれぞれは、たとえば図５に示す光受信機５００により実現することができる。光受信機５００は、一例としては１００［Ｇｂｐｓ］のコヒーレント方式の光受信機である。
【００５２】
光受信機５００は、チューナブルＬＤ５１０と、ＩＣＲ５２０と、ＡＤＣ５３１〜５３４と、ＤＳＰ５４０と、を備える。ＩＣＲはＩｎｔｅｇｒａｔｅｄ  Ｃｏｈｅｒｅｎｔ  Ｒｅｃｅｉｖｅｒの略である。ＡＤＣはＡｎａｌｏｇ／Ｄｉｇｉｔａｌ  Ｃｏｎｖｅｒｔｅｒ（アナログ／デジタル変換器）の略である。
【００５３】
チューナブルＬＤ５１０は、局発光（連続光）を発振してＩＣＲ５２０へ出力する。チューナブルＬＤ５１０が発振する局発光の周波数（中心周波数）は、運用時において、光受信機５００が受信するサブキャリアの周波数（中心周波数）に設定される。
【００５４】
ＩＣＲ５２０は、図３に示した光チャネルフィルタ３２１から出力された信号光と、チューナブルＬＤ５１０から出力された連続光と、を混合し、混合により得られた各光を光電変換することにより４チャネルの受信信号を得る光フロントエンドである。たとえば、ＩＣＲ５２０は、信号光をＸ，Ｙ偏波の各信号に分離し、分離した各信号について、局発光と混合することによって光強度や位相を示す複素電界を抽出する。そして、ＩＣＲ５２０は、抽出した複素電界の実部に応じた強度の各光（ＩＱチャネル）を光電変換する。
【００５５】
これにより、ＩＱチャネルおよびＸ，Ｙ偏波チャネルからなる４チャネルの受信信号を得ることができる。ＩＣＲ５２０は、光電変換した４チャネルの受信信号をそれぞれＡＤＣ５３１〜５３４へ出力する。ＡＤＣ５３１〜５３４のそれぞれは、ＩＣＲ５２０から出力された受信信号をアナログ信号からデジタル信号に変換し、変換した受信信号をＤＳＰ５４０へ出力する。
【００５６】
ＤＳＰ５４０は、ＡＤＣ５３１〜５３４から出力された各受信信号に対して、光伝送路３０１における信号品質の劣化要因となる分散や偏波等の補償や、エラー訂正等の受信処理を行うことによりサブキャリアの復号を行う。そして、ＤＳＰ５４０は、復号により得られた電気信号を出力する。
【００５７】
また、ＤＳＰ５４０においては、受信処理を行った受信信号の受信品質を検出する品質モニタ５４１が実現される。品質モニタ５４１が検出する受信品質は、上述したＢＥＲなど各種の受信品質とすることができる。品質モニタ５４１は、検出した受信品質を示す受信品質情報を図３に示した制御回路３３０へ出力する。
【００５８】
（実施の形態１にかかる光伝送システムにおいてサブキャリア間の間隔が狭い場合）
図６は、実施の形態１にかかる光伝送システムにおいてサブキャリア間の間隔が狭い場合の一例を示す図である。図６において、横軸は信号光の周波数を示し、縦軸は光強度を示す。サブキャリア６１０，６２０は、同一のスーパーチャネルに含まれ互いに隣接する各サブキャリアである。
【００５９】
スーパーチャネル方式では、光チャネルフィルタ３２１で制限される周波数帯域を効率的に使用することが求められるため、周波数のグリッドを可能な限り狭く設定することを要する。しかし、たとえば図６に示すように、サブキャリア６１０，６２０の各中心周波数の間隔が狭すぎると、サブキャリア６１０，６２０において互いに干渉を受ける干渉部分６３０が大きくなり、サブキャリア６１０，６２０の受信品質が劣化する。
【００６０】
（実施の形態１にかかる光伝送システムにおいてサブキャリアと制限帯域との間の間隔が狭い場合）
図７は、実施の形態１にかかる光伝送システムにおいてサブキャリアと制限帯域との間の間隔が狭い場合の一例を示す図である。図７において、横軸は信号光の周波数を示し、縦軸は光強度を示す。周波数透過特性３２１ａは、図３に示した光チャネルフィルタ３２１の周波数透過特性である。サブキャリア７１０，７２０は、同一のスーパーチャネルに含まれるサブキャリアのうちの周波数軸上で両端に配置された各サブキャリアである。
【００６１】
図７に示すように、サブキャリア７１０，７２０と周波数透過特性３２１ａによる制限帯域との間の間隔が狭すぎると、周波数透過特性３２１ａによる帯域制限によってサブキャリア７１０，７２０の受信品質が劣化する。減衰部分７１１は、サブキャリア７１０における周波数透過特性３２１ａによる減衰部分を示す。減衰部分７２１は、サブキャリア７２０における周波数透過特性３２１ａによる減衰部分を示す。
【００６２】
図６，図７に示したように、スーパーチャネル方式においては、サブキャリアと周波数透過特性３２１ａとの間の間隔が狭くなり過ぎないようにしつつ、サブキャリア間の間隔が狭くなり過ぎないように各サブキャリアの中心周波数を設定することを要する。
【００６３】
（実施の形態１にかかる光伝送システムにおける低周波側のサブキャリアの周波数のスイープ）
図８は、実施の形態１にかかる光伝送システムにおける低周波側のサブキャリアのスイープの一例を示す図である。図８に示すサブキャリア８１１は、図３に示した光送信機３１１ａから送信されるサブキャリア＃１であって、１個のスーパーチャネルに含まれるサブキャリア＃１〜＃４のうちの最も低周波側のサブキャリアである。
【００６４】
たとえば、図３に示した制御回路３３０は、光送信機３１１ａ（＃１）の周波数を、周波数ｆ１０から周波数ｆ１１までスイープ（変化）させることを、伝送装置３１０の送信制御部３１３に対して指示する。周波数ｆ１０から周波数ｆ１１までの周波数は、たとえばサブキャリア＃１の周波数の候補として予め設定された周波数である。
【００６５】
周波数ｆ１０は、周波数透過特性３２１ａの帯域の低周波側の端部より十分に高周波寄りの周波数であり、たとえば図７に示したような周波数透過特性３２１ａによるサブキャリア＃１の劣化が十分に小さい周波数である。周波数ｆ１１は、周波数ｆ１０より十分に低周波側の周波数であり、たとえば図７に示したような周波数透過特性３２１ａによるサブキャリア＃１の劣化が大きい周波数である。
【００６６】
周波数ｆ１０，ｆ１１は、たとえば周波数ｆ１０，ｆ１１の間の周波数ｆ１２において光送信機３１１ａ（＃１）の周波数が最適になるように、十分な間隔を有するように設定される。光送信機３１１ａ（＃１）の周波数が最適になる周波数ｆ１２は、たとえばサブキャリア８１１（＃１）の受信品質が所定品質となる周波数である。
【００６７】
（実施の形態１にかかる光伝送システムにおけるサブキャリア＃１の周波数の決定）
図９は、実施の形態１にかかる光伝送システムにおけるサブキャリア＃１の周波数の決定の一例を示す図である。図９において、横軸は信号光の周波数を示し、縦軸はサブキャリアの受信品質の一例としてＢＥＲを示す。高いＢＥＲほど低い（悪い）受信品質であり、低いＢＥＲほど高い（良い）受信品質であることを示す。
【００６８】
ＢＥＲ検出結果９１０は、図８に示したように光送信機３１１ａ（＃１）の周波数を周波数ｆ１０から周波数ｆ１１までスイープさせた場合における、図３に示した光受信機３２２ａ（＃１）によるサブキャリア８１１（＃１）のＢＥＲの検出結果である。ＢＥＲ検出結果９１０に示すように、光チャネルフィルタ３２１の帯域の低周波側の端部に最も近いサブキャリア８１１（＃１）は、低周波側になるほど光チャネルフィルタ３２１の低周波側の帯域制限によって受信品質が劣化してＢＥＲが高くなる。
【００６９】
制御回路３３０は、光送信機３１１ａ（＃１）の周波数を周波数ｆ１０から周波数ｆ１１までスイープさせながら、光受信機３２２ａから出力される受信品質情報に基づいてサブキャリア８１１（＃１）のＢＥＲをモニタする。そして、制御回路３３０は、サブキャリア８１１（＃１）のＢＥＲが所定値Ａとなる、光送信機３１１ａ（＃１）の周波数ｆ１２を特定する。所定値Ａは、たとえば伝送システム１００において許容される最大のＢＥＲである。ただし、所定値Ａは、これに限らず、たとえば伝送システム１００において許容される最大のＢＥＲより低いＢＥＲであってもよい。制御回路３３０は、特定した周波数ｆ１２を、光送信機３１１ａ（＃１）の周波数として決定する。
【００７０】
制御回路３３０が光送信機３１１ａ（＃１）の周波数を周波数ｆ１０から周波数ｆ１１までスイープさせる場合について説明したが、スイープの方法はこれに限らない。たとえば、制御回路３３０は、光送信機３１１ａ（＃１）の周波数を周波数ｆ１１から周波数ｆ１０までスイープさせてもよい。この場合も、サブキャリア８１１（＃１）のＢＥＲが所定値Ａとなる周波数ｆ１２を特定することができる。
【００７１】
また、制御回路３３０は、光送信機３１１ａ（＃１）の周波数を周波数ｆ１０から低周波側にスイープさせ、サブキャリア８１１（＃１）のＢＥＲが所定値Ａになった時点でスイープを停止させてもよい。または、制御回路３３０は、光送信機３１１ａ（＃１）の周波数を周波数ｆ１１から高周波側にスイープさせ、サブキャリア８１１（＃１）のＢＥＲが所定値Ａになった時点でスイープを停止させてもよい。これにより、サブキャリア８１１（＃１）のＢＥＲが所定値Ａとなる周波数ｆ１２を特定しつつ、スイープにかかる時間を短縮することができる。
【００７２】
また、周波数のスイープは、周波数を連続的（線形または非線形）に変化させてもよいし、周波数を段階的に変化させてもよい。たとえば周波数を連続的に変化させる場合は、ＢＥＲが所定値Ａになった時点の周波数は、そのＢＥＲが算出された期間における周波数の平均値や中央値とすることができる。
【００７３】
また、低周波側のサブキャリア＃１の周波数を決定し、その後に高周波側のサブキャリア＃４の周波数を決定する構成について説明したが、このような構成に限らない。たとえば、高周波側のサブキャリア＃４の周波数を決定し、その後に低周波側のサブキャリア＃１の周波数を決定する構成としてもよい。
【００７４】
（実施の形態１にかかる伝送システムにおける高周波側のサブキャリアの周波数のスイープ）
図１０は、実施の形態１にかかる伝送システムにおける高周波側のサブキャリアのスイープの一例を示す図である。図１０に示すサブキャリア１０１１は、図３に示した光送信機３１１ｄから送信されるサブキャリア＃４であって、１個のスーパーチャネルに含まれるサブキャリア＃１〜＃４のうちの最も高周波側のサブキャリアである。
【００７５】
たとえば、図３に示した制御回路３３０は、光送信機３１１ｄ（＃４）の周波数を、周波数ｆ４０から周波数ｆ４１までスイープ（変化）させることを、伝送装置３１０の送信制御部３１３に対して指示する。周波数ｆ４０から周波数ｆ４１までの周波数は、たとえばサブキャリア＃４の周波数の候補として予め設定された周波数である。
【００７６】
周波数ｆ４０は、周波数透過特性３２１ａの帯域の高周波側の端部より十分に低周波寄りの周波数であり、たとえば図７に示したような周波数透過特性３２１ａによるサブキャリア＃４の劣化が十分に小さい周波数である。周波数ｆ４１は、周波数ｆ４０より十分に高周波側の周波数であり、たとえば図７に示したような周波数透過特性３２１ａによるサブキャリア＃４の劣化が大きい周波数である。
【００７７】
周波数ｆ４０，ｆ４１は、たとえば周波数ｆ４０，ｆ４１の間の周波数ｆ４２において光送信機３１１ｄ（＃４）の周波数が最適になるように設定される。光送信機３１１ｄ（＃４）の周波数が最適になる周波数ｆ４２は、たとえばサブキャリア１０１１（＃４）の受信品質が所定品質となる周波数である。
【００７８】
（実施の形態１にかかる伝送システムにおけるサブキャリア＃４の周波数の決定）
図１１は、実施の形態１にかかる伝送システムにおけるサブキャリア＃４の周波数の決定の一例を示す図である。図１１において、横軸は信号光の周波数を示し、縦軸はサブキャリアの受信品質の一例としてＢＥＲを示す。高いＢＥＲほど低い（悪い）受信品質であり、低いＢＥＲほど高い（良い）受信品質であることを示す。
【００７９】
ＢＥＲ検出結果１１１０は、図１０に示したように光送信機３１１ｄ（＃４）の周波数を周波数ｆ４０から周波数ｆ４１までスイープさせた場合における、図３に示した光受信機３２２ｄによるサブキャリア１０１１（＃４）のＢＥＲの検出結果である。ＢＥＲ検出結果１１１０に示すように、光チャネルフィルタ３２１の帯域の高周波側の端部に最も近いサブキャリア１０１１（＃４）は、高周波側になるほど光チャネルフィルタ３２１の帯域制限によって受信品質が劣化してＢＥＲが高くなる。
【００８０】
制御回路３３０は、光送信機３１１ｄ（＃４）の周波数を周波数ｆ４０から周波数ｆ４１までスイープさせながら、光受信機３２２ｄから出力される受信品質情報に基づいてサブキャリア１０１１（＃４）のＢＥＲをモニタする。そして、制御回路３３０は、サブキャリア１０１１（＃４）のＢＥＲが所定値Ｂとなる、光送信機３１１ｄ（＃４）の周波数ｆ４２を特定する。所定値Ｂは、たとえば伝送システム１００において許容される最大のＢＥＲである。ただし、所定値Ｂは、これに限らず、たとえば伝送システム１００において許容される最大のＢＥＲより低いＢＥＲであってもよい。また、所定値Ｂは、所定値Ａと同じ値であってもよいし、所定値Ａと異なる値であってもよい。制御回路３３０は、特定した周波数ｆ４２を、光送信機３１１ｄ（＃４）の周波数として決定する。
【００８１】
制御回路３３０が光送信機３１１ｄ（＃４）の周波数を周波数ｆ４０から周波数ｆ４１までスイープさせる場合について説明したが、スイープの方法はこれに限らない。たとえば、制御回路３３０は、光送信機３１１ｄ（＃４）の周波数を周波数ｆ４１から周波数ｆ４０までスイープさせてもよい。この場合も、サブキャリア１０１１（＃４）のＢＥＲが所定値Ｂとなる周波数ｆ４２を特定することができる。
【００８２】
また、制御回路３３０は、光送信機３１１ｄ（＃４）の周波数を周波数ｆ４０から高周波側にスイープさせ、サブキャリア１０１１（＃４）のＢＥＲが所定値Ｂになった時点でスイープを停止させてもよい。または、制御回路３３０は、光送信機３１１ｄ（＃４）の周波数を周波数ｆ４１から低周波側にスイープさせ、サブキャリア１０１１（＃４）のＢＥＲが所定値Ｂになった時点でスイープを停止させてもよい。これにより、サブキャリア１０１１（＃４）のＢＥＲが所定値Ｂとなる周波数ｆ４２を特定しつつ、スイープにかかる時間を短縮することができる。
【００８３】
図８〜図１１に示したサブキャリア８１１，１０１１（＃１，＃４）の周波数のスイープにより、制御回路３３０は、光送信機３１１ａ（＃１）の周波数ｆ１２と、光送信機３１１ｄ（＃４）の周波数ｆ４２と、を決定することができる。
【００８４】
（実施の形態１にかかる光伝送システムにおけるサブキャリア＃３の周波数の決定）
図１２は、実施の形態１にかかる光伝送システムにおけるサブキャリア＃３の周波数の決定の一例を示す図である。図１２において、図８，図１０に示した部分と同様の部分については同一の符号を付して説明を省略する。図１２に示すサブキャリア１２１１は、図３に示したサブキャリア＃２であって、１個のスーパーチャネルに含まれるサブキャリア＃１〜＃４のうちの２番目に周波数が低いサブキャリアである。
【００８５】
制御回路３３０は、たとえば、決定したサブキャリア８１１，１０１１（＃１，＃４）の周波数ｆ１２，ｆ４２の間に、残りのサブキャリア＃２，＃３の周波数を等間隔で配置する。たとえば、制御回路３３０は、サブキャリア１２１１（＃２）の周波数ｆ２２を下記（１）式によって決定する。
【００８６】
ｆ２２＝ｆ１２＋（（ｆ４２−ｆ１２）／３）  …（１）
【００８７】
（実施の形態１にかかる光伝送システムにおけるサブキャリア＃４の周波数の決定）
図１３は、実施の形態１にかかる光伝送システムにおけるサブキャリア＃４の周波数の決定の一例を示す図である。図１３において、図８，図１０，図１２に示した部分と同様の部分については同一の符号を付して説明を省略する。図１３に示すサブキャリア１３１１は、図３に示したサブキャリア＃３であって、１個のスーパーチャネルに含まれるサブキャリア＃１〜＃４のうちの３番目に周波数が低いサブキャリアである。
【００８８】
たとえば、制御回路３３０は、サブキャリア１３１１（＃３）の周波数ｆ３２を下記（２）式によって決定する。
【００８９】
ｆ３２＝ｆ１２＋２×（（ｆ４２−ｆ１２）／３）  …（２）
【００９０】
図１２，図１３に示したように、制御回路３３０は、スイープにより決定したサブキャリア８１１，１０１１の周波数ｆ１２，ｆ４２に基づく演算により、サブキャリア１２１１，１３１１の周波数ｆ２２，ｆ３２を決定することができる。これにより、１個のスーパーチャネルに含まれるサブキャリア８１１，１２１１，１３１１，１０１１（＃１〜＃４）の周波数ｆ１２，ｆ２２，ｆ３２，ｆ４２を決定することができる。
【００９１】
このように、制御回路３３０は、スーパーチャネル内のサブキャリアのうち、周波数透過特性３２１ａの帯域内の両端のサブキャリア＃１，＃４を除くサブキャリア＃２，＃３については簡単な演算により起動時の立上げ周波数を設定することができる。これにより、両端のサブキャリア＃１，＃４の周波数透過特性３２１ａの帯域制限による受信品質の劣化を抑えつつ、サブキャリア＃１〜＃４の間の干渉による受信品質の劣化を抑えることができるサブキャリア＃１〜＃４の周波数が短時間で得られる。
【００９２】
（実施の形態１にかかる制御回路による運用開始時の処理）
図１４および図１５は、実施の形態１にかかる制御回路による運用開始時の処理の一例を示すフローチャートである。制御回路３３０は、光伝送システム３００における運用開始時に、たとえば図１４，図１５に示す各ステップを実行する。
【００９３】
たとえば、初期状態として、それぞれサブキャリア＃１〜＃４に対応する光送信機３１１ａ〜３１１ｄ（＃１〜＃４）は未発光状態であるとする。また、制御回路３３０から送信制御部３１３へ制御信号を送信することにより光送信機３１１ａ〜３１１ｄ（＃１〜＃４）の発光および周波数のスイープが可能である。また、それぞれサブキャリア＃１〜＃４に対応する光受信機３２２ａ〜３２２ｄ（＃１〜＃４）は、それぞれサブキャリア＃１〜＃４を受信可能な状態である。
【００９４】
まず、図１４に示すように、制御回路３３０は、光送信機３１１ａ（＃１）の周波数ｆ１０での発光を、制御信号により送信制御部３１３へ指示する（ステップＳ１４０１）。これにより、送信制御部３１３が、光送信機３１１ａ（＃１）の周波数を周波数ｆ１０に設定して光送信機３１１ａ（＃１）を発光させる。
【００９５】
つぎに、制御回路３３０は、光送信機３１１ａ（＃１）の周波数ｆ１１（低周波側）へのスイープ開始を、制御信号により送信制御部３１３へ指示する（ステップＳ１４０２）。これにより、送信制御部３１３が、光送信機３１１ａ（＃１）の周波数を周波数ｆ１０から周波数ｆ１１へ変化させるスイープを開始する。
【００９６】
つぎに、制御回路３３０は、光受信機３２２ａ（＃１）からの受信品質情報を取得する（ステップＳ１４０３）。つぎに、制御回路３３０は、ステップＳ１４０３によって取得した受信品質情報が示す光受信機３２２ａ（＃１）の受信品質が所定値Ａであるか否かを判断する（ステップＳ１４０４）。受信品質が所定値Ａでない場合（ステップＳ１４０４：Ｎｏ）は、制御回路３３０は、ステップＳ１４０３へ戻る。
【００９７】
ステップＳ１４０４において、受信品質が所定値Ａである場合（ステップＳ１４０４：Ｙｅｓ）は、制御回路３３０は、その時点の光送信機３１１ａ（＃１）の周波数ｆ１２を記憶する（ステップＳ１４０５）。これにより、光受信機３２２ａ（＃１）の受信品質が所定値Ａとなる光送信機３１１ａ（＃１）の周波数ｆ１２を得ることができる。
【００９８】
つぎに、制御回路３３０は、光送信機３１１ａ（＃１）の周波数のスイープ停止を、制御信号により送信制御部３１３へ指示する（ステップＳ１４０６）。これにより、送信制御部３１３が、光送信機３１１ａ（＃１）の周波数のスイープを停止させる。
【００９９】
つぎに、制御回路３３０は、光送信機３１１ａ（＃１）の、ステップＳ１４０５によって記憶した周波数ｆ１２での発光を、制御信号により送信制御部３１３へ指示する（ステップＳ１４０７）。これにより、送信制御部３１３が、光送信機３１１ａ（＃１）の周波数を周波数ｆ１２に設定する。
【０１００】
つぎに、制御回路３３０は、光送信機３１１ｄ（＃４）の周波数ｆ４０での発光を、制御信号により送信制御部３１３へ指示する（ステップＳ１４０８）。これにより、送信制御部３１３が、光送信機３１１ｄ（＃４）の周波数を周波数ｆ４０に設定して光送信機３１１ｄ（＃４）を発光させる。
【０１０１】
つぎに、制御回路３３０は、光送信機３１１ｄ（＃４）の周波数ｆ４１（高周波側）へのスイープ開始を、制御信号により送信制御部３１３へ指示する（ステップＳ１４０９）。これにより、送信制御部３１３が、光送信機３１１ｄ（＃４）の周波数を周波数ｆ４０から周波数ｆ４１へ変化させるスイープを開始する。
【０１０２】
つぎに、制御回路３３０は、光受信機３２２ｄ（＃４）からの受信品質情報を取得する（ステップＳ１４１０）。つぎに、制御回路３３０は、ステップＳ１４１０によって取得した受信品質情報が示す光受信機３２２ｄ（＃４）の受信品質が所定値Ｂであるか否かを判断する（ステップＳ１４１１）。受信品質が所定値Ｂでない場合（ステップＳ１４１１：Ｎｏ）は、制御回路３３０は、ステップＳ１４１０へ戻る。
【０１０３】
ステップＳ１４１１において、受信品質が所定値Ｂである場合（ステップＳ１４１１：Ｙｅｓ）は、制御回路３３０は、その時点の光送信機３１１ｄ（＃４）の周波数ｆ４２を記憶する（ステップＳ１４１２）。これにより、光受信機３２２ｄ（＃４）の受信品質が所定値Ｂとなる光送信機３１１ｄ（＃４）の周波数ｆ４２を得ることができる。
【０１０４】
つぎに、制御回路３３０は、光送信機３１１ｄ（＃４）の周波数のスイープ停止を、制御信号により送信制御部３１３へ指示する（ステップＳ１４１３）。これにより、送信制御部３１３が、光送信機３１１ｄ（＃４）の周波数のスイープを停止させる。
【０１０５】
つぎに、制御回路３３０は、光送信機３１１ｄ（＃４）の、ステップＳ１４１２によって記憶した周波数ｆ４２での発光を、制御信号により送信制御部３１３へ指示する（ステップＳ１４１４）。これにより、送信制御部３１３が、光送信機３１１ｄ（＃４）の周波数を周波数ｆ４２に設定する。
【０１０６】
つぎに、図１５に示すように、制御回路３３０は、光送信機３１１ｂ（＃２）の周波数として、上記（１）式のｆ２２＝ｆ１２＋（（ｆ４２−ｆ１２）／３）を算出する（ステップＳ１４１５）。また、制御回路３３０は、光送信機３１１ｃ（＃３）の周波数として、上記（２）式のｆ３２＝ｆ１２＋２×（（ｆ４２−ｆ１２）／３）を算出する（ステップＳ１４１６）。
【０１０７】
つぎに、制御回路３３０は、光送信機３１１ｂ（＃２）の、ステップＳ１４１５によって算出した周波数ｆ２２での発光を、制御信号により送信制御部３１３へ指示する（ステップＳ１４１７）。これにより、送信制御部３１３が、光送信機３１１ｂ（＃２）の周波数を周波数ｆ３２に設定する。
【０１０８】
また、制御回路３３０は、光送信機３１１ｃ（＃３）の、ステップＳ１４１６によって算出した周波数ｆ３２での発光を、制御信号により送信制御部３１３へ指示する（ステップＳ１４１８）。これにより、送信制御部３１３が、光送信機３１１ｂ（＃２）の周波数を周波数ｆ３２に設定する。
【０１０９】
つぎに、制御回路３３０は、伝送装置３１０から伝送装置３２０へ、ユーザデータに基づく信号光を送信する運用を開始する制御を行い（ステップＳ１４１９）、運用開始時の一連の処理を終了する。
【０１１０】
（１個のスーパーチャネルにｎ個のサブキャリアを収容する場合）
１個のスーパーチャネルに４個のサブキャリア（サブキャリア＃１〜＃４）を収容する場合について説明したが、１個のスーパーチャネルにはたとえば３個以上の任意の数のサブキャリアを収容することができる。
【０１１１】
ここで、１個のスーパーチャネルにｎ個（ｎは３以上の自然数）のサブキャリア（サブキャリア＃１〜＃ｎ）を収容する場合について説明する。この場合に、図３に示した伝送装置３１０は、１個のスーパーチャネルに対応する光送信機としてｎ個の光送信機（＃１〜＃ｎ）を備える。また、図３に示した伝送装置３２０は、１個のスーパーチャネルに対応する光受信機としてｎ個の光受信機（＃１〜＃ｎ）を備える。
【０１１２】
たとえば、初期状態として、光送信機（＃１〜＃ｎ）は未発光状態であり、制御回路３３０から送信制御部３１３へ制御信号を送信することにより光送信機（＃１〜＃ｎ）の発光および周波数のスイープが可能である。また、光受信機（＃１〜＃ｎ）は、それぞれサブキャリア＃１〜＃ｎを受信可能な状態である。
【０１１３】
まず、制御回路３３０は、光送信機（＃１）の周波数を周波数ｆ１０から周波数ｆ１１（低周波側）へスイープさせ、光受信機（＃１）の受信品質が所定値Ａとなる光送信機（＃１）の周波数ｆ１２を得る。また、制御回路３３０は、光送信機（＃ｎ）の周波数を周波数ｆｎ０から周波数ｆｎ１（高周波側）へスイープさせ、光受信機（＃ｎ）の受信品質が所定値Ｂとなる光送信機（＃ｎ）の周波数ｆｎ２を得る。
【０１１４】
つぎに、制御回路３３０は、光送信機（＃２〜＃ｎ−１）の周波数として、下記（３）式のｆ２２，ｆ３２，ｆ４２，…，ｆ（ｎ−２）２，ｆ（ｎ−１）２を算出する。
【０１１５】
ｆ２２＝ｆ１２＋（（ｆｎ２−ｆ１２）／（ｎ−１））
ｆ３２＝ｆ１２＋２×（（ｆｎ２−ｆ１２）／（ｎ−１））
ｆ４２＝ｆ１２＋３×（（ｆｎ２−ｆ１２）／（ｎ−１））
：
ｆ（ｎ−２）２＝ｆ１２＋（ｎ−２）×（（ｆｎ２−ｆ１２）／（ｎ−１））
ｆ（ｎ−１）２＝ｆ１２＋（ｎ−１）×（（ｆｎ２−ｆ１２）／（ｎ−１））…（３）
【０１１６】
これにより、光送信機（＃１〜＃ｎ）の周波数ｆ１２〜ｆｎ２を決定することができる。制御回路３３０は、決定した周波数ｆ１２〜ｆｎ２をそれぞれ光送信機（＃１〜＃ｎ）に設定することを送信制御部３１３に指示する。
【０１１７】
このように、実施の形態１にかかる伝送システム１００によれば、生成部１１１ａ〜１１１ｃのいずれかの生成部が生成する信号光の波長を変化させながら、その生成部が生成する信号光の伝送装置１２０における受信品質のモニタを行うことができる。また、モニタの結果に基づいて、最も長波長の第１信号光および最も短波長の第２信号光の各波長を決定し、決定した各波長に基づく演算により残りの信号光の波長を決定し、決定した各波長の信号光を生成するように生成部１１１ａ〜１１１ｃを制御できる。
【０１１８】
これにより、第１信号光および第２信号光の各波長に基づく簡単な演算によって、第１信号光および第２信号光以外の信号光の波長を決定することができる。このため、演算回路の規模の増大を抑えつつ短時間で波長配置の調整を行うことができる。
【０１１９】
（実施の形態２）
実施の形態２について、実施の形態１と異なる部分について説明する。実施の形態１においては、両端のサブキャリア＃１，＃４の周波数を決定するための周波数のスイープをそれぞれ光送信機３１１ａ，３１１ｄ（＃１，＃４）により行う構成について説明した。これに対して、実施の形態２においては、たとえば、両端のサブキャリア＃１，＃４の周波数を決定するためのモニタ用の信号光の周波数のスイープを光送信機３１１ａ〜３１１ｄのうちの任意の光送信機により行う構成について説明する。
【０１２０】
（実施の形態２にかかる光伝送システムにおける高周波側のサブキャリアの周波数のスイープ）
図１６は、実施の形態２にかかる光伝送システムにおける高周波側のサブキャリアのスイープの一例を示す図である。図１６において、図１０に示した部分と同様の部分については同一の符号を付して説明を省略する。たとえば、制御回路３３０は、図８に示したように光送信機３１１ａ（＃１）の周波数を周波数ｆ１０から周波数ｆ１１までスイープさせた後に、図１６に示すように光送信機３１１ａ（＃１）の周波数を周波数ｆ１１から周波数ｆ４１までスイープさせてもよい。
【０１２１】
（実施の形態２にかかる光伝送システムにおけるサブキャリア＃１の周波数の決定）
図１７は、実施の形態２にかかる光伝送システムにおけるサブキャリア＃１の周波数の決定の一例を示す図である。図１７において、図１１に示した部分と同様の部分については同一の符号を付して説明を省略する。図１７に示す例では、所定値Ａ＝所定値Ｂであるとする。ＢＥＲ検出結果１７１０は、図１６に示したように光送信機３１１ａ（＃１）の周波数を周波数ｆ１１から周波数ｆ４１までスイープさせた場合における、図３に示した光受信機３２２ａによるサブキャリア８１１（＃１）のＢＥＲの検出結果である。
【０１２２】
制御回路３３０は、光送信機３１１ａ（＃１）の周波数を周波数ｆ１１から周波数ｆ４１までスイープさせながら、光受信機３２２ａから出力される受信品質情報に基づいてサブキャリア８１１（＃１）のＢＥＲをモニタする。そして、制御回路３３０は、サブキャリア８１１（＃１）のＢＥＲが所定値Ｂとなる、光送信機３１１ａ（＃１）の周波数ｆ４２を特定し、特定した周波数ｆ４２を、光送信機３１１ａ（＃１）の周波数（中心周波数）として決定する。
【０１２３】
制御回路３３０が光送信機３１１ａ（＃１）の周波数を周波数ｆ１１から周波数ｆ４１までスイープさせる場合について説明したが、スイープの方法はこれに限らない。たとえば、制御回路３３０は、光送信機３１１ａ（＃１）の周波数を図１０に示した周波数ｆ４０から周波数ｆ４１まで、または周波数ｆ４１から周波数ｆ４０までスイープさせてもよい。この場合も、サブキャリア８１１（＃１）のＢＥＲが所定値Ｂとなる周波数ｆ４２を特定することができる。
【０１２４】
また、制御回路３３０は、光送信機３１１ａ（＃１）の周波数を周波数ｆ１１または周波数ｆ４０から高周波側にスイープさせ、サブキャリア８１１（＃１）のＢＥＲが所定値Ｂになった時点でスイープを停止させてもよい。または、制御回路３３０は、光送信機３１１ａ（＃１）の周波数を周波数ｆ４１から低周波側にスイープさせ、サブキャリア８１１（＃１）のＢＥＲが所定値Ｂになった時点でスイープを停止させてもよい。これにより、サブキャリア８１１（＃１）のＢＥＲが所定値Ｂとなる周波数ｆ４２を特定しつつ、スイープにかかる時間を短縮することができる。
【０１２５】
（実施の形態２にかかる制御回路による運用開始時の処理）
図１８および図１９は、実施の形態２にかかる制御回路による運用開始時の処理の一例を示すフローチャートである。実施の形態１にかかる制御回路３３０は、光伝送システム３００における運用開始時に、たとえば図１８，図１９に示す各ステップを実行する。図１８に示すステップＳ１８０１〜Ｓ１８０６は、図１４に示したステップＳ１４０１〜Ｓ１４０６と同様である。
【０１２６】
ステップＳ１８０６のつぎに、制御回路３３０は、光送信機３１１ａ（＃１）の周波数ｆ４１（高周波側）へのスイープ開始を、制御信号により送信制御部３１３へ指示する（ステップＳ１８０７）。これにより、送信制御部３１３が光送信機３１１ａ（＃１）の周波数を周波数ｆ１１から周波数ｆ４１へ変化させるスイープを開始する。
【０１２７】
つぎに、制御回路３３０は、光受信機３２２ａ（＃１）からの受信品質情報を取得する（ステップＳ１８０８）。つぎに、制御回路３３０は、ステップＳ１８０８によって取得した受信品質情報が示す光受信機３２２ａ（＃１）の受信品質が所定値Ｂであるか否かを判断する（ステップＳ１８０９）。受信品質が所定値Ｂでない場合（ステップＳ１８０９：Ｎｏ）は、制御回路３３０は、ステップＳ１８０８へ戻る。
【０１２８】
ステップＳ１８０９において、受信品質が所定値Ｂである場合（ステップＳ１８０９：Ｙｅｓ）は、制御回路３３０は、その時点の光送信機３１１ａ（＃１）の周波数ｆ４２を記憶する（ステップＳ１８１０）。これにより、光受信機３２２ａ（＃１）の受信品質が所定値Ｂとなる光送信機３１１ａ（＃１）の周波数ｆ４２を得ることができる。
【０１２９】
つぎに、制御回路３３０は、光送信機３１１ａ（＃１）の周波数のスイープ停止を、制御信号により送信制御部３１３へ指示する（ステップＳ１８１１）。これにより、送信制御部３１３が、光送信機３１１ａ（＃１）の周波数のスイープを停止させる。
【０１３０】
つぎに、制御回路３３０は、光送信機３１１ａ（＃１）の、ステップＳ１８０５によって記憶した周波数ｆ１２での発光を、制御信号により送信制御部３１３へ指示する（ステップＳ１８１２）。これにより、送信制御部３１３が、光送信機３１１ａ（＃１）の周波数を周波数ｆ１２に設定する。
【０１３１】
また、制御回路３３０は、光送信機３１１ｄ（＃４）の、ステップＳ１８１０によって記憶した周波数ｆ４２での発光を、制御信号により送信制御部３１３へ指示する（ステップＳ１８１３）。これにより、送信制御部３１３が、光送信機３１１ｄ（＃４）の周波数を周波数ｆ４２に設定する。
【０１３２】
つぎに、制御回路３３０は、図１９に示すステップＳ１８１４へ移行する。図１９に示すステップＳ１８１４〜Ｓ１８１８は、たとえば図１５に示したステップＳ１４１５〜Ｓ１４１９と同様である。
【０１３３】
図１６〜図１９に示したように、光送信機３１１ｄ（＃４）の周波数を決定するために周波数をスイープさせる光送信機は、光送信機３１１ｄ（＃４）に限らず光送信機３１１ａ（＃１）であってもよい。同様に、光送信機３１１ｄ（＃４）の周波数を決定するために周波数をスイープさせる光送信機は、光送信機３１１ｂ，ｃ（＃２，＃３）であってもよい。また、光送信機３１１ａ（＃１）の周波数を決定するために周波数をスイープさせる光送信機は、光送信機３１１ａ（＃１）に限らず光送信機３１１ｂ〜３１１ｄ（＃２〜＃４）であってもよい。
【０１３４】
すなわち、光送信機３１１ａ，３１１ｄ（＃１，＃４）の周波数を決定するために周波数をスイープさせる光送信機は、それぞれ光送信機３１１ａ〜３１１ｄ（＃１〜＃４）のうちの任意の光送信機とすることができる。
【０１３５】
このように、実施の形態２にかかる伝送システム１００によれば、両端のサブキャリア＃１，＃４の周波数を決定するための周波数のスイープを生成部１１１ａ〜１１１ｃのうちの任意の光送信機により行うことができる。また、実施の形態１にかかる伝送システム１００と同様に、演算回路の規模の増大を抑えつつ短時間で波長配置の調整を行うことができる。
【０１３６】
（実施の形態３）
実施の形態３について、実施の形態１，２と異なる部分について説明する。たとえば、実施の形態１，２において起動時にサブキャリアを立ち上げる方法について説明したが、受信側における受信品質は、各装置の劣化や伝送路の状態によって変動する場合がある。これに対して、実施の形態３においては、たとえば、サブキャリアを立ち上げた後の運用状態において、各サブキャリアの周波数を制御する方法について説明する。
【０１３７】
（実施の形態３にかかる制御回路による運用中の周波数制御処理）
図２０〜図２２は、実施の形態３にかかる制御回路による運用中の周波数制御処理の一例を示すフローチャートである。実施の形態３にかかる制御回路３３０は、たとえば図１４，図１５に示した処理によって光伝送システム３００における運用を開始した後に、たとえば図２０〜図２２に示す各ステップを実行する。図２０〜図２２においては、両端のサブキャリア＃１，＃４の周波数を固定し、サブキャリア＃１，＃４の間に配置されたサブキャリア＃２，＃３の周波数を制御する場合について説明する。
【０１３８】
まず、図２０に示すように、制御回路３３０は、光受信機３２２ｂ（＃２）からの受信品質情報を取得し、取得した受信品質情報が示す受信品質Ｃ１を、サブキャリア＃２の品質閾値＃２として設定する（ステップＳ２００１）。また、制御回路３３０は、光受信機３２２ｃ（＃３）からの受信品質情報を取得し、取得した受信品質情報が示す受信品質Ｄ１を、サブキャリア＃３の品質閾値＃３として設定する（ステップＳ２００２）。
【０１３９】
つぎに、制御回路３３０は、光送信機３１１ｂ（＃２）の周波数の再設定処理を行う。すなわち、制御回路３３０は、光受信機３２２ｂ（＃２）からの受信品質情報を取得する（ステップＳ２００３）。ステップＳ２００３によって取得された受信品質情報が示す受信品質をＣ２とする。つぎに、制御回路３３０は、ステップＳ２００３によって取得した受信品質情報が示す受信品質Ｃ２が、現在の品質閾値＃２と等しいか否かを判断する（ステップＳ２００４）。
【０１４０】
ステップＳ２００４において、受信品質Ｃ２が品質閾値＃２と等しい場合（ステップＳ２００４：Ｙｅｓ）は、制御回路３３０は、光送信機３１１ｂ（＃２）の周波数の再設定は行わずにステップＳ２０１８へ移行する。受信品質Ｃ２が品質閾値＃２と等しくない場合（ステップＳ２００４：Ｎｏ）は、制御回路３３０は、受信品質Ｃ２が現在の品質閾値＃２より低いか否かを判断する（ステップＳ２００５）。
【０１４１】
ステップＳ２００５において、受信品質Ｃ２が品質閾値＃２より低い場合（ステップＳ２００５：Ｙｅｓ）は、光受信機３２２ｂ（＃２）の受信品質が悪化していると判断することができる。この場合は、制御回路３３０は、光送信機３１１ｂ（＃２）の高周波側へのスイープ開始を、制御信号により送信制御部３１３へ指示する（ステップＳ２００６）。これにより、送信制御部３１３が、光送信機３１１ｂ（＃２）の周波数を高周波側へ変化させるスイープを開始する。
【０１４２】
つぎに、制御回路３３０は、光受信機３２２ｂ（＃２）からの受信品質情報を取得する（ステップＳ２００７）。つぎに、制御回路３３０は、ステップＳ２００７によって取得した受信品質情報が示す光受信機３２２ｂ（＃２）の受信品質が品質閾値＃２と等しいか否かを判断する（ステップＳ２００８）。受信品質が品質閾値＃２と等しくない場合（ステップＳ２００８：Ｎｏ）は、制御回路３３０は、ステップＳ２００７へ戻る。
【０１４３】
ステップＳ２００８において、受信品質が品質閾値＃２と等しい場合（ステップＳ２００８：Ｙｅｓ）は、制御回路３３０は、その時点の光送信機３１１ｂ（＃２）の周波数ｆ２２ｃ１を記憶する（ステップＳ２００９）。これにより、光受信機３２２ｂ（＃２）の受信品質が品質閾値＃２となる光送信機３１１ｂ（＃２）の周波数ｆ２２ｃ１を得ることができる。
【０１４４】
つぎに、制御回路３３０は、光送信機３１１ｂ（＃２）の周波数のスイープ停止を、制御信号により送信制御部３１３へ指示する（ステップＳ２０１０）。これにより、送信制御部３１３が、光送信機３１１ｂ（＃２）の周波数のスイープを停止させる。
【０１４５】
つぎに、制御回路３３０は、光送信機３１１ｂ（＃２）の、ステップＳ２００９によって記憶した周波数ｆ２２ｃ１での発光を、制御信号により送信制御部３１３へ指示する（ステップＳ２０１１）。これにより、送信制御部３１３が、光送信機３１１ｂ（＃２）の周波数を周波数ｆ２２ｃ１に設定する。そして、制御回路３３０は、ステップＳ２０１８へ移行する。
【０１４６】
ステップＳ２００５において、受信品質Ｃ２が品質閾値＃２より高い場合（ステップＳ２００５：Ｎｏ）は、光受信機３２２ｂ（＃２）の受信品質が向上していると判断することができる。この場合は、制御回路３３０は、光送信機３１１ｂ（＃２）の低周波側へのスイープ開始を、制御信号により送信制御部３１３へ指示する（ステップＳ２０１２）。これにより、送信制御部３１３が、光送信機３１１ｂ（＃２）の周波数を低周波側へ変化させるスイープを開始する。
【０１４７】
つぎに、制御回路３３０は、光受信機３２２ｂ（＃２）からの受信品質情報を取得する（ステップＳ２０１３）。つぎに、制御回路３３０は、ステップＳ２０１３によって取得した受信品質情報が示す光受信機３２２ｂ（＃２）の受信品質が品質閾値＃２と等しいか否かを判断する（ステップＳ２０１４）。受信品質が品質閾値＃２と等しくない場合（ステップＳ２０１４：Ｎｏ）は、制御回路３３０は、ステップＳ２０１３へ戻る。
【０１４８】
ステップＳ２０１４において、受信品質が品質閾値＃２と等しい場合（ステップＳ２０１４：Ｙｅｓ）は、制御回路３３０は、その時点の光送信機３１１ｂ（＃２）の周波数ｆ２２ｃ１を記憶する（ステップＳ２０１５）。これにより、光受信機３２２ｂ（＃２）の受信品質が品質閾値＃２となる光送信機３１１ｂ（＃２）の周波数ｆ２２ｃ１を得ることができる。
【０１４９】
つぎに、制御回路３３０は、光送信機３１１ｂ（＃２）の周波数のスイープ停止を、制御信号により送信制御部３１３へ指示する（ステップＳ２０１６）。これにより、送信制御部３１３が、光送信機３１１ｂ（＃２）の周波数のスイープを停止させる。
【０１５０】
つぎに、制御回路３３０は、光送信機３１１ｂ（＃２）の、ステップＳ２０１５によって記憶した周波数ｆ２２ｃ１での発光を、制御信号により送信制御部３１３へ指示する（ステップＳ２０１７）。これにより、送信制御部３１３が、光送信機３１１ｂ（＃２）の周波数を周波数ｆ２２ｃ１に設定する。そして、制御回路３３０は、ステップＳ２０１８へ移行する。
【０１５１】
つぎに、図２１に示すように、制御回路３３０は、光送信機３１１ｃ（＃３）の周波数の再設定処理を行う。すなわち、制御回路３３０は、光受信機３２２ｃ（＃３）からの受信品質情報を取得する（ステップＳ２０１８）。ステップＳ２０１８によって取得された受信品質情報が示す受信品質をＤ２とする。つぎに、制御回路３３０は、ステップＳ２０１８によって取得した受信品質情報が示す受信品質Ｄ２が、現在の品質閾値＃３と等しいか否かを判断する（ステップＳ２０１９）。
【０１５２】
ステップＳ２０１９において、受信品質Ｄ２が品質閾値＃３と等しい場合（ステップＳ２０１９：Ｙｅｓ）は、制御回路３３０は、光送信機３１１ｃ（＃３）の周波数の再設定は行わずにステップＳ２０３３へ移行する。受信品質Ｄ２が品質閾値＃３と等しくない場合（ステップＳ２０１９：Ｎｏ）は、制御回路３３０は、受信品質Ｄ２が、現在の品質閾値＃３より低いか否かを判断する（ステップＳ２０２０）。
【０１５３】
ステップＳ２０２０において、受信品質Ｄ２が品質閾値＃３より低い場合（ステップＳ２０２０：Ｙｅｓ）は、光受信機３２２ｃ（＃３）の受信品質が悪化していると判断することができる。この場合は、制御回路３３０は、光送信機３１１ｃ（＃３）の低周波側へのスイープ開始を、制御信号により送信制御部３１３へ指示する（ステップＳ２０２１）。これにより、送信制御部３１３が、光送信機３１１ｃ（＃３）の周波数を低周波側へ変化させるスイープを開始する。
【０１５４】
つぎに、制御回路３３０は、光受信機３２２ｃ（＃３）からの受信品質情報を取得する（ステップＳ２０２２）。つぎに、制御回路３３０は、ステップＳ２０２２によって取得した受信品質情報が示す光受信機３２２ｃ（＃３）の受信品質が品質閾値＃３と等しいか否かを判断する（ステップＳ２０２３）。受信品質が品質閾値＃３と等しくない場合（ステップＳ２０２３：Ｎｏ）は、制御回路３３０は、ステップＳ２０２２へ戻る。
【０１５５】
ステップＳ２０２３において、受信品質が品質閾値＃３と等しい場合（ステップＳ２０２３：Ｙｅｓ）は、制御回路３３０は、その時点の光送信機３１１ｃ（＃３）の周波数ｆ３２ｄ１を記憶する（ステップＳ２０２４）。これにより、光受信機３２２ｃ（＃３）の受信品質が品質閾値＃３となる光送信機３１１ｃ（＃３）の周波数ｆ３２ｄ１を得ることができる。
【０１５６】
つぎに、制御回路３３０は、光送信機３１１ｃ（＃３）の周波数のスイープ停止を、制御信号により送信制御部３１３へ指示する（ステップＳ２０２５）。これにより、送信制御部３１３が、光送信機３１１ｃ（＃３）の周波数のスイープを停止させる。
【０１５７】
つぎに、制御回路３３０は、光送信機３１１ｃ（＃３）の、ステップＳ２０２４によって記憶した周波数ｆ３２ｄ１での発光を、制御信号により送信制御部３１３へ指示する（ステップＳ２０２６）。これにより、送信制御部３１３が、光送信機３１１ｃ（＃３）の周波数を周波数ｆ３２ｄ１に設定する。そして、制御回路３３０は、ステップＳ２０３３へ移行する。
【０１５８】
ステップＳ２０２０において、受信品質Ｄ２が品質閾値＃３より高い場合（ステップＳ２０２０：Ｎｏ）は、光受信機３２２ｃ（＃３）の受信品質が向上していると判断することができる。この場合は、制御回路３３０は、光送信機３１１ｃ（＃３）の高周波側へのスイープ開始を、制御信号により送信制御部３１３へ指示する（ステップＳ２０２７）。これにより、送信制御部３１３が、光送信機３１１ｃ（＃３）の周波数を高周波側へ変化させるスイープを開始する。
【０１５９】
つぎに、制御回路３３０は、光受信機３２２ｃ（＃３）からの受信品質情報を取得する（ステップＳ２０２８）。つぎに、制御回路３３０は、ステップＳ２０２８によって取得した受信品質情報が示す光受信機３２２ｃ（＃３）の受信品質が品質閾値＃３と等しいか否かを判断する（ステップＳ２０２９）。受信品質が品質閾値＃３と等しくない場合（ステップＳ２０２９：Ｎｏ）は、制御回路３３０は、ステップＳ２０２８へ戻る。
【０１６０】
ステップＳ２０２９において、受信品質が品質閾値＃３と等しい場合（ステップＳ２０２９：Ｙｅｓ）は、制御回路３３０は、その時点の光送信機３１１ｃ（＃３）の周波数ｆ３２ｄ１を記憶する（ステップＳ２０３０）。これにより、光受信機３２２ｃ（＃３）の受信品質が品質閾値＃３となる光送信機３１１ｃ（＃３）の周波数ｆ３２ｄ１を得ることができる。
【０１６１】
つぎに、制御回路３３０は、光送信機３１１ｃ（＃３）の周波数のスイープ停止を、制御信号により送信制御部３１３へ指示する（ステップＳ２０３１）。これにより、送信制御部３１３が、光送信機３１１ｃ（＃３）の周波数のスイープを停止させる。
【０１６２】
つぎに、制御回路３３０は、光送信機３１１ｃ（＃３）の、ステップＳ２０３０によって記憶した周波数ｆ３２ｄ１での発光を、制御信号により送信制御部３１３へ指示する（ステップＳ２０３２）。これにより、送信制御部３１３が、光送信機３１１ｃ（＃３）の周波数を周波数ｆ３２ｄ１に設定する。そして、制御回路３３０は、ステップＳ２０３３へ移行する。
【０１６３】
つぎに、図２２に示すように、制御回路３３０は、光受信機３２２ｂ（＃２）からの受信品質情報を取得する（ステップＳ２０３３）。ステップＳ２０３３によって取得された受信品質情報が示す受信品質をＣ３とする。また、制御回路３３０は、光受信機３２２ｃ（＃３）からの受信品質情報を取得する（ステップＳ２０３４）。ステップＳ２０３４によって取得された受信品質情報が示す受信品質をＤ３とする。
【０１６４】
つぎに、制御回路３３０は、Ｚ１＝品質閾値＃２＋品質閾値＃３およびＺ３＝Ｃ３＋Ｄ３を算出する（ステップＳ２０３５）。Ｚ１は、光受信機３２２ｂ，３２２ｃ（＃２，＃３）の基準となるトータルの受信品質である。Ｚ３は、光受信機３２２ｂ，３２２ｃ（＃２，＃３）の現在のトータルの受信品質である。
【０１６５】
つぎに、制御回路３３０は、ステップＳ２０３５によって算出したＺ１とＺ３とが等しいか否かを判断する（ステップＳ２０３６）。Ｚ１とＺ３とが等しい場合（ステップＳ２０３６：Ｙｅｓ）は、制御回路３３０は、品質閾値の再設定を行わず、ステップＳ２００３へ戻る。Ｚ１とＺ３とが等しくない場合（ステップＳ２０３６：Ｎｏ）は、制御回路３３０は、Ｚ３がＺ１より低いか否かを判断する（ステップＳ２０３７）。
【０１６６】
ステップＳ２０３７において、Ｚ３がＺ１より低い場合（ステップＳ２０３７：Ｙｅｓ）は、光受信機３２２ｂ，３２２ｃ（＃２，＃３）のトータルの受信品質が悪化していると判断することができる。この場合は、制御回路３３０は、光受信機３２２ｂ（＃２）の品質閾値＃２を、現在の品質閾値＃２より低いＣ４に設定する（ステップＳ２０３８）。また、制御回路３３０は、光受信機３２２ｃ（＃３）の品質閾値＃３を、現在の品質閾値＃３より低いＤ４に設定し（ステップＳ２０３９）、ステップＳ２００３へ戻る。
【０１６７】
ステップＳ２０３７において、Ｚ３がＺ１より高い場合（ステップＳ２０３７：Ｎｏ）は、光受信機３２２ｂ，３２２ｃ（＃２，＃３）のトータルの受信品質が向上していると判断することができる。この場合は、制御回路３３０は、光受信機３２２ｂ（＃２）の品質閾値＃２を、現在の品質閾値＃２より高いＣ４に設定する（ステップＳ２０４０）。また、制御回路３３０は、光受信機３２２ｃ（＃３）の品質閾値＃３を、現在の品質閾値＃３より高いＤ４に設定し（ステップＳ２０４１）、ステップＳ２００３へ戻る。
【０１６８】
図２３〜図２６は、実施の形態３にかかる制御回路による運用中の周波数制御処理の別の一例を示すフローチャートである。実施の形態３にかかる制御回路３３０は、たとえば図１４，図１５に示した処理によって光伝送システム３００における運用を開始した後に、たとえば図２３〜図２６に示す各ステップを実行してもよい。図２３〜図２６においては、サブキャリア＃１〜＃４の周波数を制御する場合について説明する。
【０１６９】
まず、図２３に示すように、制御回路３３０は、光受信機３２２ａ（＃１）からの受信品質情報を取得し、取得した受信品質情報が示す受信品質Ａ１を、サブキャリア＃１の品質閾値＃１として設定する（ステップＳ２３０１）。また、制御回路３３０は、光受信機３２２ｂ（＃２）からの受信品質情報を取得し、取得した受信品質情報が示す受信品質Ｃ１を、サブキャリア＃２の品質閾値＃２として設定する（ステップＳ２３０２）。
【０１７０】
また、制御回路３３０は、光受信機３２２ｃ（＃３）からの受信品質情報を取得し、取得した受信品質情報が示す受信品質Ｄ１を、サブキャリア＃３の品質閾値＃３として設定する（ステップＳ２３０３）。また、制御回路３３０は、光受信機３２２ｄ（＃４）からの受信品質情報を取得し、取得した受信品質情報が示す受信品質Ｂ１を、サブキャリア＃４の品質閾値＃４として設定する（ステップＳ２３０４）。
【０１７１】
つぎに、制御回路３３０は、光送信機３１１ａ（＃１）の周波数の再設定処理を行う。すなわち、制御回路３３０は、光受信機３２２ａ（＃１）からの受信品質情報を取得する（ステップＳ２３０５）。ステップＳ２３０５によって取得された受信品質情報が示す受信品質をＡ２とする。つぎに、制御回路３３０は、ステップＳ２３０５によって取得した受信品質情報が示す受信品質Ａ２が、現在の品質閾値＃１と等しいか否かを判断する（ステップＳ２３０６）。
【０１７２】
ステップＳ２３０６において、受信品質Ａ２が品質閾値＃１と等しい場合（ステップＳ２３０６：Ｙｅｓ）は、制御回路３３０は、光送信機３１１ａ（＃１）の周波数の再設定は行わずにステップＳ２３２３へ移行する。受信品質Ａ２が品質閾値＃１と等しくない場合（ステップＳ２３０６：Ｎｏ）は、制御回路３３０は、受信品質Ａ２が、現在の品質閾値＃１より低いか否かを判断する（ステップＳ２３０７）。
【０１７３】
ステップＳ２３０７において、受信品質Ａ２が品質閾値＃１より低い場合（ステップＳ２３０７：Ｙｅｓ）は、光受信機３２２ａ（＃１）の受信品質が悪化していると判断することができる。この場合は、制御回路３３０は、光送信機３１１ａ（＃１）の高周波側へのスイープ開始を、制御信号により送信制御部３１３へ指示する（ステップＳ２３０８）。これにより、送信制御部３１３が、光送信機３１１ａ（＃１）の周波数を高周波側へ変化させるスイープを開始する。
【０１７４】
つぎに、制御回路３３０は、光受信機３２２ａ（＃１）からの受信品質情報を取得する（ステップＳ２３０９）。ステップＳ２３０９によって取得された受信品質情報が示す受信品質をＡ３とする。つぎに、制御回路３３０は、受信品質Ａ３が品質閾値＃１と等しいか否かを判断する（ステップＳ２３１０）。
【０１７５】
ステップＳ２３１０において、受信品質Ａ３が品質閾値＃１と等しくない場合（ステップＳ２３１０：Ｎｏ）は、制御回路３３０は、ステップＳ２３１１へ移行する。すなわち、制御回路３３０は、ステップＳ２３０９によって取得した受信品質情報が示す光受信機３２２ａ（＃１）の受信品質Ａ３が受信品質Ａ２より高いか否かを判断する（ステップＳ２３１１）。
【０１７６】
ステップＳ２３１１において、受信品質Ａ３が受信品質Ａ２より高い場合（ステップＳ２３１１：Ｙｅｓ）は、現在のスイープによりサブキャリア＃１の受信品質が向上していると判断することができる。この場合は、制御回路３３０は、ステップＳ２３０９へ戻り、スイープを継続させる。
【０１７７】
ステップＳ２３１１において、受信品質Ａ３が受信品質Ａ２より高くない場合（ステップＳ２３１１：Ｎｏ）は、現在のスイープによりサブキャリア＃１の受信品質が悪化していると判断することができる。この場合は、制御回路３３０は、光送信機３１１ａ（＃１）の周波数のスイープ停止を、制御信号により送信制御部３１３へ指示する（ステップＳ２３１２）。これにより、送信制御部３１３が、光送信機３１１ａ（＃１）の周波数のスイープを停止させる。なお、ステップＳ２３１１において、受信品質Ａ３が受信品質Ａ２と等しい場合は、制御回路３３０は、ステップＳ２３０９およびステップＳ２３１２のいずれに移行してもよい。
【０１７８】
つぎに、制御回路３３０は、サブキャリア＃１に隣接するサブキャリア＃２に対応する光送信機３１１ｂ（＃２）の高周波側へのスイープ開始を、制御信号により送信制御部３１３へ指示し（ステップＳ２３１３）、ステップＳ２３０９へ戻る。これにより、送信制御部３１３が、光送信機３１１ａ（＃１）の周波数を高周波側へ変化させるスイープを開始する。
【０１７９】
ステップＳ２３１０において、受信品質Ａ３が品質閾値＃１と等しい場合（ステップＳ２３１０：Ｙｅｓ）は、制御回路３３０は、その時点の光送信機３１１ａ（＃１）の周波数ｆ１２ａ１を記憶する（ステップＳ２３１４）。これにより、光受信機３２２ａ（＃１）の受信品質が品質閾値＃１となる光送信機３１１ａ（＃１）の周波数ｆ１２ａ１を得ることができる。
【０１８０】
つぎに、制御回路３３０は、光送信機３１１ａ（＃１）または光送信機３１１ｂ（＃２）の周波数のスイープ停止を、制御信号により送信制御部３１３へ指示する（ステップＳ２３１５）。すなわち、制御回路３３０は、光送信機３１１ａ（＃１）および光送信機３１１ｂ（＃２）のうちの周波数をスイープさせている光送信機の周波数のスイープ停止を指示する。これにより、送信制御部３１３が、光送信機３１１ａ（＃１）または光送信機３１１ｂ（＃２）の周波数のスイープを停止させる。
【０１８１】
つぎに、制御回路３３０は、光送信機３１１ａ（＃１）の、ステップＳ２３１４によって記憶した周波数ｆ１２ａ１での発光を、制御信号により送信制御部３１３へ指示する（ステップＳ２３１６）。これにより、送信制御部３１３が、光送信機３１１ａ（＃１）の周波数を周波数ｆ１２ａ１に設定する。そして、制御回路３３０は、ステップＳ２３２３へ移行する。
【０１８２】
ステップＳ２３０７において、受信品質Ａ２が品質閾値＃１より高い場合（ステップＳ２３０７：Ｎｏ）は、光受信機３２２ａ（＃１）の受信品質が向上していると判断することができる。この場合は、制御回路３３０は、光送信機３１１ａ（＃１）の低周波側へのスイープ開始を、制御信号により送信制御部３１３へ指示する（ステップＳ２３１７）。これにより、送信制御部３１３が、光送信機３１１ａ（＃１）の周波数を低周波側へ変化させるスイープを開始する。
【０１８３】
つぎに、制御回路３３０は、光受信機３２２ａ（＃１）からの受信品質情報を取得する（ステップＳ２３１８）。ステップＳ２３１８によって取得された受信品質情報が示す受信品質をＡ３とする。つぎに、制御回路３３０は、ステップＳ２３１８によって取得した受信品質情報が示す光受信機３２２ａ（＃１）の受信品質Ａ３が品質閾値＃１と等しいか否かを判断する（ステップＳ２３１９）。
【０１８４】
ステップＳ２３１９において、受信品質Ａ３が品質閾値＃１と等しくない場合（ステップＳ２３１９：Ｎｏ）は、制御回路３３０は、ステップＳ２３１８へ戻る。受信品質Ａ３が品質閾値＃１と等しい場合（ステップＳ２３１９：Ｙｅｓ）は、制御回路３３０は、その時点の光送信機３１１ａ（＃１）の周波数ｆ１２ａ１を記憶する（ステップＳ２３２０）。これにより、光受信機３２２ａ（＃１）の受信品質が品質閾値＃１となる光送信機３１１ａ（＃１）の周波数ｆ１２ａ１を得ることができる。
【０１８５】
つぎに、制御回路３３０は、光送信機３１１ａ（＃１）の周波数のスイープ停止を、制御信号により送信制御部３１３へ指示する（ステップＳ２３２１）。これにより、送信制御部３１３が、光送信機３１１ａ（＃１）の周波数のスイープを停止させる。
【０１８６】
つぎに、制御回路３３０は、光送信機３１１ａ（＃１）の、ステップＳ２３２０によって記憶した周波数ｆ１２ａ１での発光を、制御信号により送信制御部３１３へ指示する（ステップＳ２３２２）。これにより、送信制御部３１３が、光送信機３１１ａ（＃１）の周波数を周波数ｆ１２ａ１に設定する。そして、制御回路３３０は、ステップＳ２３２３へ移行する。
【０１８７】
つぎに、図２４に示すように、制御回路３３０は、光送信機３１１ｂ（＃２）の周波数の再設定処理を行う。すなわち、制御回路３３０は、光受信機３２２ｂ（＃２）からの受信品質情報を取得する（ステップＳ２３２３）。ステップＳ２３２３によって取得された受信品質情報が示す受信品質をＣ２とする。つぎに、制御回路３３０は、ステップＳ２３２３によって取得した受信品質情報が示す受信品質Ｃ２が、現在の品質閾値＃２と等しいか否かを判断する（ステップＳ２３２４）。
【０１８８】
ステップＳ２３２４において、受信品質Ｃ２が品質閾値＃２と等しい場合（ステップＳ２３２４：Ｙｅｓ）は、制御回路３３０は、光送信機３１１ｂ（＃２）の周波数の再設定は行わずにステップＳ２３４１へ移行する。受信品質Ｃ２が品質閾値＃２と等しくない場合（ステップＳ２３２４：Ｎｏ）は、制御回路３３０は、受信品質Ｃ２が、現在の品質閾値＃２より低いか否かを判断する（ステップＳ２３２５）。
【０１８９】
ステップＳ２３２５において、受信品質Ｃ２が品質閾値＃２より低い場合（ステップＳ２３２５：Ｙｅｓ）は、光受信機３２２ｂ（＃２）の受信品質が悪化していると判断することができる。この場合は、制御回路３３０は、光送信機３１１ｂ（＃２）の高周波側へのスイープ開始を、制御信号により送信制御部３１３へ指示する（ステップＳ２３２６）。これにより、送信制御部３１３が、光送信機３１１ｂ（＃２）の周波数を高周波側へ変化させるスイープを開始する。
【０１９０】
つぎに、制御回路３３０は、光受信機３２２ｂ（＃２）からの受信品質情報を取得する（ステップＳ２３２７）。ステップＳ２３２７によって取得された受信品質情報が示す受信品質をＣ３とする。つぎに、制御回路３３０は、受信品質Ｃ３が品質閾値＃２と等しいか否かを判断する（ステップＳ２３２８）。
【０１９１】
ステップＳ２３２８において、受信品質Ｃ３が品質閾値＃２と等しくない場合（ステップＳ２３２８：Ｎｏ）は、制御回路３３０は、ステップＳ２３２９へ移行する。すなわち、制御回路３３０は、ステップＳ２３２７によって取得した受信品質情報が示す光受信機３２２ｂ（＃２）の受信品質Ｃ３が受信品質Ｃ２より高いか否かを判断する（ステップＳ２３２９）。
【０１９２】
ステップＳ２３２９において、受信品質Ｃ３が受信品質Ｃ２より高い場合（ステップＳ２３２９：Ｙｅｓ）は、現在のスイープによりサブキャリア＃２の受信品質が向上していると判断することができる。この場合は、制御回路３３０は、ステップＳ２３２７へ戻り、スイープを継続させる。
【０１９３】
ステップＳ２３２９において、受信品質Ｃ３が受信品質Ｃ２より高くない場合（ステップＳ２３２９：Ｎｏ）は、制御回路３３０は、現在のスイープによりサブキャリア＃２の受信品質が悪化していると判断することができる。この場合は、制御回路３３０は、光送信機３１１ｂ（＃２）の周波数のスイープ停止を、制御信号により送信制御部３１３へ指示する（ステップＳ２３３０）。これにより、送信制御部３１３が、光送信機３１１ｂ（＃２）の周波数のスイープを停止させる。なお、ステップＳ２３２９において、受信品質Ｃ３が受信品質Ｃ２と等しい場合は、制御回路３３０は、ステップＳ２３２７およびステップＳ２３３０のいずれに移行してもよい。
【０１９４】
つぎに、制御回路３３０は、サブキャリア＃２に隣接するサブキャリア＃３に対応する光送信機３１１ｃ（＃３）の高周波側へのスイープ開始を、制御信号により送信制御部３１３へ指示し（ステップＳ２３３１）、ステップＳ２３２７へ戻る。これにより、送信制御部３１３が、光送信機３１１ｃ（＃３）の周波数を高周波側へ変化させるスイープを開始する。
【０１９５】
ステップＳ２３２８において、受信品質Ｃ３が品質閾値＃２と等しい場合（ステップＳ２３２８：Ｙｅｓ）は、制御回路３３０は、その時点の光送信機３１１ｂ（＃２）の周波数ｆ２２ｃ１を記憶する（ステップＳ２３３２）。これにより、光受信機３２２ｂ（＃２）の受信品質が品質閾値＃２となる光送信機３１１ｂ（＃２）の周波数ｆ２２ｃ１を得ることができる。
【０１９６】
つぎに、制御回路３３０は、光送信機３１１ｂ（＃２）または光送信機３１１ｃ（＃３）の周波数のスイープ停止を、制御信号により送信制御部３１３へ指示する（ステップＳ２３３３）。すなわち、制御回路３３０は、光送信機３１１ｂ（＃２）および光送信機３１１ｃ（＃３）のうちの周波数をスイープさせている光送信機の周波数のスイープ停止を指示する。これにより、送信制御部３１３が、光送信機３１１ｂ（＃２）または光送信機３１１ｃ（＃３）の周波数のスイープを停止させる。
【０１９７】
つぎに、制御回路３３０は、光送信機３１１ｂ（＃２）の、ステップＳ２３３２によって記憶した周波数ｆ２２ｃ１での発光を、制御信号により送信制御部３１３へ指示する（ステップＳ２３３４）。これにより、送信制御部３１３が、光送信機３１１ｂ（＃２）の周波数を周波数ｆ２２ｃ１に設定する。そして、制御回路３３０は、ステップＳ２３４１へ移行する。
【０１９８】
ステップＳ２３２５において、受信品質Ｃ２が品質閾値＃２より高い場合（ステップＳ２３２５：Ｎｏ）は、光受信機３２２ｂ（＃２）の受信品質が向上していると判断することができる。この場合は、制御回路３３０は、光送信機３１１ｂ（＃２）の低周波側へのスイープ開始を、制御信号により送信制御部３１３へ指示する（ステップＳ２３３５）。これにより、送信制御部３１３が、光送信機３１１ｂ（＃２）の周波数を低周波側へ変化させるスイープを開始する。
【０１９９】
つぎに、制御回路３３０は、光送信機３１１ｂ（＃２）からの受信品質情報を取得する（ステップＳ２３３６）。ステップＳ２３３６によって取得された受信品質情報が示す受信品質をＣ３とする。つぎに、制御回路３３０は、ステップＳ２３３６によって取得した受信品質情報が示す光受信機３２２ｂ（＃２）の受信品質Ｃ３が品質閾値＃２と等しいか否かを判断する（ステップＳ２３３７）。
【０２００】
ステップＳ２３３７において、受信品質Ｃ３が品質閾値＃２と等しくない場合（ステップＳ２３３７：Ｎｏ）は、制御回路３３０は、ステップＳ２３３６へ戻る。受信品質Ｃ３が品質閾値＃２と等しい場合（ステップＳ２３３７：Ｙｅｓ）は、制御回路３３０は、その時点の光送信機３１１ｂ（＃２）の周波数ｆ２２ｃ１を記憶する（ステップＳ２３３８）。これにより、光受信機３２２ｂ（＃２）の受信品質が品質閾値＃２となる光送信機３１１ｂ（＃２）の周波数ｆ２２ｃ１を得ることができる。
【０２０１】
つぎに、制御回路３３０は、光送信機３１１ｂ（＃２）の周波数のスイープ停止を、制御信号により送信制御部３１３へ指示する（ステップＳ２３３９）。これにより、送信制御部３１３が、光送信機３１１ｂ（＃２）の周波数のスイープを停止させる。
【０２０２】
つぎに、制御回路３３０は、光送信機３１１ｂ（＃２）の、ステップＳ２３３８によって記憶した周波数ｆ２２ｃ１での発光を、制御信号により送信制御部３１３へ指示する（ステップＳ２３４０）。これにより、送信制御部３１３が、光送信機３１１ｂ（＃２）の周波数を周波数ｆ２２ｃ１に設定する。そして、制御回路３３０は、ステップＳ２３４１へ移行する。
【０２０３】
つぎに、図２５に示すように、制御回路３３０は、光受信機３２２ｃ（＃３）からの受信品質情報を取得する（ステップＳ２３４１）。ステップＳ２３４１によって取得された受信品質情報が示す受信品質をＤ２とする。つぎに、制御回路３３０は、ステップＳ２３４１によって取得した受信品質情報が示す受信品質Ｄ２が、現在の品質閾値＃３と等しいか否かを判断する（ステップＳ２３４２）。
【０２０４】
ステップＳ２３４２において、受信品質Ｄ２が品質閾値＃３と等しい場合（ステップＳ２３４２：Ｙｅｓ）は、制御回路３３０は、光送信機３１１ｃ（＃３）の周波数の再設定は行わずにステップＳ２３５９へ移行する。受信品質Ｄ２が品質閾値＃３と等しくない場合（ステップＳ２３４２：Ｎｏ）は、制御回路３３０は、受信品質Ｄ２が、現在の品質閾値＃３より低いか否かを判断する（ステップＳ２３４３）。
【０２０５】
ステップＳ２３４３において、受信品質Ｄ２が品質閾値＃３より低い場合（ステップＳ２３４３：Ｙｅｓ）は、光受信機３２２ｃ（＃３）の受信品質が悪化していると判断することができる。この場合は、制御回路３３０は、光送信機３１１ｃ（＃３）の高周波側へのスイープ開始を、制御信号により送信制御部３１３へ指示する（ステップＳ２３４４）。これにより、送信制御部３１３が、光送信機３１１ｃ（＃３）の周波数を高周波側へ変化させるスイープを開始する。
【０２０６】
つぎに、制御回路３３０は、光受信機３２２ｃ（＃３）からの受信品質情報を取得する（ステップＳ２３４５）。ステップＳ２３４５によって取得された受信品質情報が示す受信品質をＤ３とする。つぎに、制御回路３３０は、受信品質Ｄ３が品質閾値＃３と等しいか否かを判断する（ステップＳ２３４６）。
【０２０７】
ステップＳ２３４６において、受信品質Ｄ３が品質閾値＃３と等しくない場合（ステップＳ２３４６：Ｎｏ）は、制御回路３３０は、ステップＳ２３４７へ移行する。すなわち、制御回路３３０は、ステップＳ２３４５によって取得した受信品質情報が示す光受信機３２２ｃ（＃３）の受信品質Ｄ３が受信品質Ｄ２より高いか否かを判断する（ステップＳ２３４７）。
【０２０８】
ステップＳ２３４７において、受信品質Ｄ３が受信品質Ｄ２より高い場合（ステップＳ２３４７：Ｙｅｓ）は、現在のスイープによりサブキャリア＃３の受信品質が向上していると判断することができる。この場合は、制御回路３３０は、ステップＳ２３４５へ戻り、スイープを継続させる。
【０２０９】
ステップＳ２３４７において、受信品質Ｄ３が受信品質Ｄ２より高くない場合（ステップＳ２３４７：Ｎｏ）は、現在のスイープによりサブキャリア＃３の受信品質が悪化していると判断することができる。この場合は、制御回路３３０は、光送信機３１１ｃ（＃３）の周波数のスイープ停止を、制御信号により送信制御部３１３へ指示する（ステップＳ２３４８）。これにより、送信制御部３１３が、光送信機３１１ｃ（＃３）の周波数のスイープを停止させる。なお、ステップＳ２３４７において、受信品質Ｄ３が受信品質Ｄ２と等しい場合は、制御回路３３０は、ステップＳ２３４５およびステップＳ２３４８のいずれに移行してもよい。
【０２１０】
つぎに、制御回路３３０は、サブキャリア＃３に隣接するサブキャリア＃４に対応する光送信機３１１ｄ（＃４）の高周波側へのスイープ開始を、制御信号により送信制御部３１３へ指示し（ステップＳ２３４９）、ステップＳ２３４５へ戻る。これにより、送信制御部３１３が、光送信機３１１ｄ（＃４）の周波数を高周波側へ変化させるスイープを開始する。
【０２１１】
ステップＳ２３４６において、受信品質Ｄ３が品質閾値＃３と等しい場合（ステップＳ２３４６：Ｙｅｓ）は、制御回路３３０は、その時点の光送信機３１１ｃ（＃３）の周波数ｆ３２ｄ１を記憶する（ステップＳ２３５０）。これにより、光受信機３２２ｃ（＃３）の受信品質が品質閾値＃３となる光送信機３１１ｃ（＃３）の周波数ｆ３２ｄ１を得ることができる。
【０２１２】
つぎに、制御回路３３０は、光送信機３１１ｃ（＃３）または光送信機３１１ｄ（＃４）の周波数のスイープ停止を、制御信号により送信制御部３１３へ指示する（ステップＳ２３５１）。すなわち、制御回路３３０は、光送信機３１１ｃ（＃３）および光送信機３１１ｄ（＃４）のうちの周波数をスイープさせている光送信機の周波数のスイープ停止を指示する。これにより、送信制御部３１３が、光送信機３１１ｃ（＃３）または光送信機３１１ｄ（＃４）の周波数のスイープを停止させる。
【０２１３】
つぎに、制御回路３３０は、光送信機３１１ｃ（＃３）の、ステップＳ２３５０によって記憶した周波数ｆ３２ｄ１での発光を、制御信号により送信制御部３１３へ指示する（ステップＳ２３５２）。これにより、送信制御部３１３が、光送信機３１１ｃ（＃３）の周波数を周波数ｆ３２ｄ１に設定する。そして、制御回路３３０は、ステップＳ２３５９へ移行する。
【０２１４】
ステップＳ２３４３において、受信品質Ｄ２が品質閾値＃３より高い場合（ステップＳ２３４３：Ｎｏ）は、光受信機３２２ｃ（＃３）の受信品質が向上していると判断することができる。この場合は、制御回路３３０は、光送信機３１１ｃ（＃３）の低周波側へのスイープ開始を、制御信号により送信制御部３１３へ指示する（ステップＳ２３５３）。これにより、送信制御部３１３が、光送信機３１１ｃ（＃３）の周波数を低周波側へ変化させるスイープを開始する。
【０２１５】
つぎに、制御回路３３０は、光送信機３１１ｃ（＃３）からの受信品質情報を取得する（ステップＳ２３５４）。ステップＳ２３５４によって取得された受信品質情報が示す受信品質をＤ３とする。つぎに、制御回路３３０は、ステップＳ２３５４によって取得した受信品質情報が示す光受信機３２２ｃ（＃３）の受信品質Ｄ３が品質閾値＃３と等しいか否かを判断する（ステップＳ２３５５）。
【０２１６】
ステップＳ２３５５において、受信品質Ｄ３が品質閾値＃３と等しくない場合（ステップＳ２３５５：Ｎｏ）は、制御回路３３０は、ステップＳ２３５４へ戻る。受信品質Ｄ３が品質閾値＃３と等しい場合（ステップＳ２３５５：Ｙｅｓ）は、制御回路３３０は、その時点の光送信機３１１ｃ（＃３）の周波数ｆ３２ｄ１を記憶する（ステップＳ２３５６）。これにより、光受信機３２２ｃ（＃３）の受信品質が品質閾値＃３となる光送信機３１１ｃ（＃３）の周波数ｆ３２ｄ１を得ることができる。
【０２１７】
つぎに、制御回路３３０は、光送信機３１１ｃ（＃３）の周波数のスイープ停止を、制御信号により送信制御部３１３へ指示する（ステップＳ２３５７）。これにより、送信制御部３１３が、光送信機３１１ｃ（＃３）の周波数のスイープを停止させる。
【０２１８】
つぎに、制御回路３３０は、光送信機３１１ｃ（＃３）の、ステップＳ２３５６によって記憶した周波数ｆ３２ｄ１での発光を、制御信号により送信制御部３１３へ指示する（ステップＳ２３５８）。これにより、送信制御部３１３が、光送信機３１１ｃ（＃３）の周波数を周波数ｆ３２ｄ１に設定する。そして、制御回路３３０は、ステップＳ２３５９へ移行する。
【０２１９】
つぎに、図２６に示すように、制御回路３３０は、光受信機３２２ｄ（＃４）からの受信品質情報を取得する（ステップＳ２３５９）。ステップＳ２３５９によって取得された受信品質情報が示す受信品質をＢ２とする。つぎに、制御回路３３０は、ステップＳ２３５９によって取得した受信品質情報が示す受信品質Ｂ２が、現在の品質閾値＃４と等しいか否かを判断する（ステップＳ２３６０）。
【０２２０】
ステップＳ２３６０において、受信品質Ｂ２が品質閾値＃４と等しい場合（ステップＳ２３６０：Ｙｅｓ）は、制御回路３３０は、品質閾値＃１〜＃４の再設定は行わずにステップＳ２３０５へ戻る。受信品質Ｂ２が品質閾値＃４と等しくない場合（ステップＳ２３６０：Ｎｏ）は、制御回路３３０は、受信品質Ｂ２が、現在の品質閾値＃４より低いか否かを判断する（ステップＳ２３６１）。
【０２２１】
ステップＳ２３６１において、受信品質Ｂ２が品質閾値＃４より低い場合（ステップＳ２３６１：Ｙｅｓ）は、光受信機３２２ｄ（＃４）の受信品質が悪化していると判断することができる。この場合は、制御回路３３０は、光送信機３１１ｄ（＃４）の高周波側へのスイープ開始を、制御信号により送信制御部３１３へ指示する（ステップＳ２３６２）。これにより、送信制御部３１３が、光送信機３１１ｄ（＃４）の周波数を高周波側へ変化させるスイープを開始する。
【０２２２】
つぎに、制御回路３３０は、光受信機３２２ｄ（＃４）からの受信品質情報を取得する（ステップＳ２３６３）。ステップＳ２３６３によって取得された受信品質情報が示す受信品質をＢ３とする。つぎに、制御回路３３０は、受信品質Ｂ３が品質閾値＃４と等しいか否かを判断する（ステップＳ２３６４）。
【０２２３】
ステップＳ２３６４において、受信品質Ｂ３が品質閾値＃４と等しくない場合（ステップＳ２３６４：Ｎｏ）は、ステップＳ２３６５へ移行する。すなわち、制御回路３３０は、ステップＳ２３６３によって取得した受信品質情報が示す光受信機３２２ｄ（＃４）の受信品質Ｂ３が受信品質Ｂ２より高いか否かを判断する（ステップＳ２３６５）。
【０２２４】
ステップＳ２３６５において、受信品質Ｂ３が受信品質Ｂ２より高い場合（ステップＳ２３６５：Ｙｅｓ）は、現在のスイープによりサブキャリア＃４の受信品質が向上していると判断することができる。この場合は、制御回路３３０は、ステップＳ２３６３へ戻り、スイープを継続させる。
【０２２５】
ステップＳ２３６５において、受信品質Ｂ３が受信品質Ｂ２より高くない場合（ステップＳ２３６５：Ｎｏ）は、制御回路３３０は、現在のスイープによりサブキャリア＃４の受信品質が悪化していると判断することができる。この場合は、制御回路３３０は、光送信機３１１ｄ（＃４）の周波数のスイープ停止を、制御信号により送信制御部３１３へ指示する（ステップＳ２３６６）。これにより、送信制御部３１３が、光送信機３１１ｄ（＃４）の周波数のスイープを停止させる。なお、ステップＳ２３６５において、受信品質Ｂ３が受信品質Ｂ２と等しい場合は、制御回路３３０は、ステップＳ２３６３およびステップＳ２３６６のいずれに移行してもよい。
【０２２６】
つぎに、制御回路３３０は、サブキャリア＃１の品質閾値＃１を、現在の品質閾値＃１より低いＡ５に設定する（ステップＳ２３６７）。また、制御回路３３０は、サブキャリア＃２の品質閾値＃２を、現在の品質閾値＃２より低いＣ５に設定する（ステップＳ２３６８）。また、制御回路３３０は、サブキャリア＃３の品質閾値＃３を、現在の品質閾値＃３より低いＤ５に設定する（ステップＳ２３６９）。また、制御回路３３０は、サブキャリア＃４の品質閾値＃４を、現在の品質閾値＃４より低いＢ５に設定し（ステップＳ２３７０）、ステップＳ２３０５へ戻る。
【０２２７】
ステップＳ２３６４において、受信品質Ｂ３が品質閾値＃４と等しい場合（ステップＳ２３６４：Ｙｅｓ）は、制御回路３３０は、その時点の光送信機３１１ｄ（＃４）の周波数ｆ４２ｂ１を記憶する（ステップＳ２３７１）。これにより、光受信機３２２ｄ（＃４）の受信品質が品質閾値＃４となる光送信機３１１ｄ（＃４）の周波数ｆ４２ｂ１を得ることができる。
【０２２８】
つぎに、制御回路３３０は、光送信機３１１ｄ（＃４）の周波数のスイープ停止を、制御信号により送信制御部３１３へ指示する（ステップＳ２３７２）。これにより、送信制御部３１３が、光送信機３１１ｄ（＃４）の周波数のスイープを停止させる。
【０２２９】
つぎに、制御回路３３０は、光送信機３１１ｄ（＃４）の、ステップＳ２３７１によって記憶した周波数ｆ４２ｂ１での発光を、制御信号により送信制御部３１３へ指示する（ステップＳ２３７３）。これにより、送信制御部３１３が、光送信機３１１ｄ（＃４）の周波数を周波数ｆ４２ｂ１に設定する。そして、制御回路３３０は、ステップＳ２３０５へ戻る。
【０２３０】
ステップＳ２３６１において、受信品質Ｂ２が品質閾値＃４より高い場合（ステップＳ２３６１：Ｎｏ）は、光受信機３２２ｄ（＃４）の受信品質が向上していると判断することができる。この場合は、制御回路３３０は、光送信機３１１ｄ（＃４）の低周波側へのスイープ開始を、制御信号により送信制御部３１３へ指示する（ステップＳ２３７４）。これにより、送信制御部３１３が、光送信機３１１ｄ（＃４）の周波数を低周波側へ変化させるスイープを開始する。
【０２３１】
つぎに、制御回路３３０は、光送信機３１１ｄ（＃４）からの受信品質情報を取得する（ステップＳ２３７５）。ステップＳ２３７５によって取得された受信品質情報が示す受信品質をＢ３とする。つぎに、制御回路３３０は、ステップＳ２３７５によって取得した受信品質情報が示す光受信機３２２ｄ（＃４）の受信品質Ｂ３が品質閾値＃４と等しいか否かを判断する（ステップＳ２３７６）。
【０２３２】
ステップＳ２３７６において、受信品質Ｂ３が品質閾値＃４と等しくない場合（ステップＳ２３７６：Ｎｏ）は、制御回路３３０は、ステップＳ２３７５へ戻る。受信品質Ｂ３が品質閾値＃４と等しい場合（ステップＳ２３７６：Ｙｅｓ）は、制御回路３３０は、その時点の光送信機３１１ｄ（＃４）の周波数ｆ４２ｂ１を記憶する（ステップＳ２３７７）。これにより、光受信機３２２ｄ（＃４）の受信品質が品質閾値＃４となる光送信機３１１ｄ（＃４）の周波数ｆ４２ｂ１を得ることができる。
【０２３３】
つぎに、制御回路３３０は、光送信機３１１ｄ（＃４）の周波数のスイープ停止を、制御信号により送信制御部３１３へ指示する（ステップＳ２３７８）。これにより、送信制御部３１３が、光送信機３１１ｄ（＃４）の周波数のスイープを停止させる。
【０２３４】
つぎに、制御回路３３０は、光送信機３１１ｄ（＃４）の、ステップＳ２３７７によって記憶した周波数ｆ４２ｂ１での発光を、制御信号により送信制御部３１３へ指示する（ステップＳ２３７９）。これにより、送信制御部３１３が、光送信機３１１ｄ（＃４）の周波数を周波数ｆ４２ｂ１に設定する。そして、制御回路３３０は、ステップＳ２３０５へ戻る。
【０２３５】
図２０〜図２６に示したように、起動後の通常運用時においても、伝送装置３２０により各サブキャリアの受信品質を検出し、所望の受信品質を確保するように制御回路３３０から送信制御部３１３へ制御信号を送信する。送信制御部３１３は、制御回路３３０からの制御信号に従って光送信機３１１ａ〜３１１ｄのチューナブルＬＤ４３０を制御する。これにより、各装置の劣化や伝送路の状態が変動しても、伝送装置３２０における受信品質の低下を抑制することができる。
【０２３６】
このように、実施の形態３にかかる伝送システム１００によれば、運用を開始した後に、各サブキャリアのうちの少なくともいずれかの伝送装置１２０における受信品質に基づいて、各サブキャリアの少なくともいずれかの波長を制御することができる。運用とは、たとえば伝送装置１１０がユーザデータに基づいて生成された各信号光を合波して伝送装置１２０へ送信する運用である。これにより、各装置の劣化や伝送路の状態が変動しても、伝送装置１２０における受信品質の低下を抑制することができる。
【０２３７】
（実施の形態４）
実施の形態４について、実施の形態１〜３と異なる部分について説明する。実施の形態４においては、たとえば、光送信機４００のチューナブルＬＤ４３０の周波数をスイープさせる際に、光受信機５００のチューナブルＬＤ５１０の周波数もスイープさせる構成について説明する。
【０２３８】
（実施の形態４にかかる光伝送システム）
図２７は、実施の形態４にかかる光伝送システムの一例を示す図である。図２７において、図３に示した部分と同様の部分については同一の符号を付して説明を省略する。実施の形態４にかかる制御回路３３０は、光送信機３１１ａ〜３１１ｄの周波数をスイープさせる際に、それぞれ光受信機３２２ａ〜３２２ｄのチューナブルＬＤ５１０の周波数を、それぞれ光送信機３１１ａ〜３１１ｄと合わせるように制御する。
【０２３９】
たとえば、制御回路３３０は、光送信機３１１ａの周波数を周波数ｆ１０から周波数ｆ１１へスイープさせる際に、光受信機３２２ａのチューナブルＬＤ５１０の周波数を、光送信機３１１ａと同期させて周波数ｆ１０から周波数ｆ１１へスイープさせる。これにより、光送信機３１１ａの周波数をスイープさせることによる光受信機３２２ａにおける周波数ずれを抑制し、光受信機３２２ａにおけるＢＥＲ等の受信品質を精度よく検出することができる。
【０２４０】
また、制御回路３３０は、光送信機３１１ｄの周波数を周波数ｆ４０から周波数ｆ４１へスイープさせる際に、光受信機３２２ｄのチューナブルＬＤ５１０の周波数を、光送信機３１１ｄと同期させて周波数ｆ４０から周波数ｆ４１へスイープさせる。これにより、光送信機３１１ｄの周波数をスイープさせることによる光受信機３２２ｄにおける周波数ずれを抑制し、光受信機３２２ｄにおけるＢＥＲ等の受信品質を精度よく検出することができる。
【０２４１】
（実施の形態４にかかる光受信機）
図２８は、実施の形態４にかかる光受信機の一例を示す図である。図２８において、図５に示した部分と同様の部分については同一の符号を付して説明を省略する。図２８に示すように、実施の形態５にかかる光受信機５００のチューナブルＬＤ５１０の周波数は、制御回路３３０から制御可能になっている。
【０２４２】
なお、チューナブルＬＤ５１０の周波数は、運用時においては、対応するサブキャリアの光送信機４００のチューナブルＬＤ４３０の周波数に合わせて設定される。実施の形態４においては、これに加えて、運用前に各サブキャリアの初期配置を決定する際に、制御回路３３０が、チューナブルＬＤ４３０の周波数のスイープに合わせてチューナブルＬＤ５１０の周波数をスイープさせる。
【０２４３】
（実施の形態４にかかる制御回路による運用開始時の処理）
図２９および図３０は、実施の形態４にかかる制御回路による運用開始時の処理の一例を示すフローチャートである。実施の形態４にかかる制御回路３３０は、光伝送システム３００における運用開始時に、たとえば図２９，図３０に示す各ステップを実行する。
【０２４４】
図２９に示すステップＳ２９０１は、図１４に示したステップＳ１４０１と同様である。ステップＳ２９０１のつぎに、制御回路３３０は、光受信機３２２ａ（＃１）のチューナブルＬＤ５１０の周波数を周波数ｆ１０に設定する（ステップＳ２９０２）。ステップＳ２９０３は、図１４に示したステップＳ１４０２と同様である。
【０２４５】
ステップＳ２９０３のつぎに、制御回路３３０は、光受信機３２２ａ（＃１）のチューナブルＬＤ５１０の周波数ｆ１１（低周波側）へのスイープを開始する（ステップＳ２９０４）。このとき、制御回路３３０は、ステップＳ２９０３によって送信制御部３１３に開始させた光送信機３１１ａ（＃１）の周波数のスイープと同期するように、光受信機３２２ａ（＃１）のチューナブルＬＤ５１０の周波数をスイープさせる。
【０２４６】
ステップＳ２９０５〜Ｓ２９０８は、図１４に示したステップＳ１４０３〜Ｓ１４０６と同様である。ステップＳ２９０８とともに、制御回路３３０は、光受信機３２２ａ（＃１）のチューナブルＬＤ５１０の周波数のスイープを停止する（ステップＳ２９０９）。
【０２４７】
図２９，図３０に示すステップＳ２９１０，Ｓ２９１１は、図１４に示したステップＳ１４０７，Ｓ１４０８と同様である。ステップＳ２９１１のつぎに、制御回路３３０は、光受信機３２２ｄ（＃４）のチューナブルＬＤ５１０の周波数を周波数ｆ４０に設定する（ステップＳ２９１２）。ステップＳ２９１３は、図１４に示したステップＳ１４０９と同様である。
【０２４８】
ステップＳ２９１３のつぎに、制御回路３３０は、光受信機３２２ｄ（＃４）のチューナブルＬＤ５１０の周波数ｆ４１（低周波側）へのスイープを開始する（ステップＳ２９１４）。このとき、制御回路３３０は、ステップＳ２９１３によって送信制御部３１３に開始させた光送信機３１１ｄ（＃４）の周波数のスイープと同期するように、光受信機３２２ｄ（＃４）のチューナブルＬＤ５１０の周波数をスイープさせる。
【０２４９】
ステップＳ２９１５〜Ｓ２９１８は、図１４に示したステップＳ１４１０〜Ｓ１４１３と同様である。ステップＳ２９１８のつぎに、制御回路３３０は、光受信機３２２ｄ（＃４）のチューナブルＬＤ５１０の周波数のスイープを停止する（ステップＳ２９１９）。ステップＳ２９２０〜Ｓ２９２５は、図１４，図１５に示したステップＳ１４１４〜Ｓ１４１９と同様である。
【０２５０】
このように、実施の形態４にかかる伝送システム１００によれば、生成部１１１ａ〜１１１ｃのいずれかの生成部が生成する信号光の波長を変化させる際に、伝送装置１２０における局発光の波長を、その信号光の波長と合わせて変化させることができる。これにより、波長を変化させた信号光の伝送装置１２０における受信品質の検出精度を向上させることができる。このため、各サブキャリアの受信品質をより精度よく向上させる波長配置の調整を行うことができる。
【０２５１】
（実施の形態５）
実施の形態５について、実施の形態１〜４と異なる部分について説明する。実施の形態５においては、たとえば、伝送システム１００の起動時の各サブキャリアの波長を決定する際に、光チャネルフィルタ３２１の透過帯域を狭くし、運用開始時に光チャネルフィルタ３２１の透過帯域を広くする構成について説明する。
【０２５２】
（実施の形態５にかかる光伝送システム）
図３１は、実施の形態５にかかる光伝送システムの一例を示す図である。図３１において、図３に示した部分と同様の部分については同一の符号を付して説明を省略する。実施の形態５にかかる光チャネルフィルタ３２１は、たとえばＬＣＯＳ素子などの透過帯域が可変なフィルタである。制御回路３３０は、運用前のサブキャリア＃１〜＃４の周波数の調整時に、光チャネルフィルタ３２１の透過帯域を運用時よりも狭くする。
【０２５３】
たとえば、ＬＣＯＳ素子を用いた光チャネルフィルタ３２１は、入力された光をＬＣＯＳ素子に照射して反射させ、予め定めた出力ポートへその反射光を誘導する。そして、予め定めた出力ポートへその反射光を誘導するために、ＬＣＯＳ素子で光を反射させる際の屈折率が操作される。なお、ＬＣＯＳの屈折率は、入力された光の波長によっても異なるし、ＬＣＯＳ素子の温度や印加する電圧によっても異なる。
【０２５４】
したがって、ＬＣＯＳ素子を用いた光チャネルフィルタ３２１では、ＬＣＯＳ素子の温度特性や電圧特性を踏まえてＬＣＯＳ素子の温度や電圧を操作することにより、ターゲットとする光波長の透過帯域を操作することができる。
【０２５５】
また、ＬＣＯＳ素子自体の屈折率対温度特性や電圧特性が経年変化したり、ＬＣＯＳ素子の温度や電圧を操作する周辺回路の性能が経年変化したりすると、光チャネルフィルタ３２１の透過帯域は経年変化する場合がある。この経年変化によって、光チャネルフィルタ３２１の透過特性は、遮断する波長付近で広がったり狭くなったりする。
【０２５６】
ここで、たとえば実施の形態１によって光信号の波長設定を完了した時点から、光チャネルフィルタ３２１の透過帯域が経年変化して狭くなってしまう場合を想定する。この場合に、遮断する波長付近にある光信号において、その光信号の波長設定を完了した時点の光信号の波長設定値は、光チャネルフィルタ３２１の経年変化の後において適切な値ではないということになる。これは、たとえば、光信号の波長設定をそのまま維持して光チャネルフィルタ３２１が狭帯域化すると、その光信号の一部が削られて信号品質が劣化してしまうためである。
【０２５７】
これに対して、実施の形態５においては、サブキャリアの立ち上げを実施する際に、光チャネルフィルタ３２１の透過帯域が経年変化して狭くなる分を予め見越して、光信号の波長を調整する方法を提供する。
【０２５８】
（実施の形態５にかかる光チャネルフィルタの透過帯域の設定）
図３２は、実施の形態５にかかる光チャネルフィルタの透過帯域の設定の一例を示す図である。図３２に示す周波数透過特性３２１ｂは、制御回路３３０によって設定された、各サブキャリアの立ち上げ時の周波数透過特性３２１ａである。図３２に示す周波数透過特性３２１ｃは、制御回路３３０によって設定された、各サブキャリアの運用時の周波数透過特性３２１ａである。図３２に示すように、制御回路３３０は、各サブキャリアの立ち上げ時の周波数透過特性３２１ｂの透過帯域を、各サブキャリアの運用時の周波数透過特性３２１ｃの透過帯域より狭く設定する。
【０２５９】
各サブキャリアの立ち上げ時の周波数透過特性３２１ｂは、たとえば、光チャネルフィルタ３２１の経年変化後においても補償される最も狭い光チャネルフィルタ３２１の透過帯域である。各サブキャリアの運用時の周波数透過特性３２１ｃは、たとえば、他のスーパーチャネルと干渉しない範囲で最も広く設定された光チャネルフィルタ３２１の透過帯域である。
【０２６０】
（実施の形態５にかかる制御回路による運用開始時の処理）
図３３は、実施の形態５にかかる制御回路による運用開始時の処理の一例を示すフローチャートである。実施の形態５にかかる制御回路３３０は、光伝送システム３００における運用開始時（立ち上げ時）に、たとえば図３３に示す各ステップを実行する。
【０２６１】
まず、制御回路３３０は、光チャネルフィルタ３２１の透過帯域を、運用時の透過帯域よりも狭く設定する（ステップＳ３３０１）。たとえば、制御回路３３０は、光チャネルフィルタ３２１への印加電圧を制御することにより、周波数透過特性３２１ａを図３２に示した周波数透過特性３２１ｂのように設定する。
【０２６２】
つぎに、制御回路３３０は、光送信機３１１ａ〜３１１ｄ（＃１〜＃４）の周波数を設定することにより各サブキャリアの立ち上げを行う（ステップＳ３３０２）。ステップＳ３３０２による各サブキャリアの立ち上げは、一例としては、図１４，図１５に示したステップＳ１４０１〜Ｓ１４１８と同じ処理によって行うことができる。
【０２６３】
つぎに、制御回路３３０は、光チャネルフィルタ３２１の透過帯域を運用時の透過帯域に設定する（ステップＳ３３０３）。たとえば、制御回路３３０は、光チャネルフィルタ３２１への印加電圧を制御することにより、周波数透過特性３２１ａを図３２に示した周波数透過特性３２１ｃのように設定する。
【０２６４】
つぎに、制御回路３３０は、伝送装置３１０から伝送装置３２０へ、ユーザデータに基づく信号光を送信する運用を開始する制御を行い（ステップＳ３３０４）、運用開始時の一連の処理を終了する。
【０２６５】
このように、実施の形態５にかかる伝送システム１００によれば、各サブキャリアの運用開始時の周波数を設定する制御を行う際の光フィルタ１２１の透過帯域（所定帯域）を、運用の際の光フィルタ１２１の透過帯域より狭く設定することができる。これにより、光フィルタ１２１の透過帯域に対して余裕を有するように各サブキャリアの周波数を設定し、光フィルタ１２１の透過帯域が経年変化によって狭くなっても各サブキャリアの受信品質の低下を抑制することができる。
【０２６６】
また、伝送装置１２０によって受信される信号光の受信品質が運用状態でどのように変化するかを定量化することは困難である。これは、信号光の受信品質が、ＯＳＮＲ、ＰＭＤ、ＰＤＬ、偏波状態などの様々なパラメータや、光フィルタ１２１の帯域の変化によって変化するためである。ＯＳＮＲはＯｐｔｉｃａｌ  Ｓｉｇｎａｌ  Ｎｏｉｓｅ  Ｒａｔｉｏ（光信号雑音比）の略である。ＰＭＤはＰｏｌａｒｉｚａｔｉｏｎ  Ｍｏｄｅ  Ｄｉｓｐｅｒｓｉｏｎ（偏波モード分散）の略である。ＰＤＬはＰｏｌａｒｉｚａｔｉｏｎ  Ｄｅｐｅｎｄｅｎｔ  Ｌｏｓｓ（偏波依存損失）の略である。
【０２６７】
これに対して、実施の形態５にかかる伝送システム１００によれば、光フィルタ１２１の透過帯域に対して余裕を有するように各サブキャリアの周波数を設定することができる。これにより、光フィルタ１２１の透過帯域が経年変化によって狭くなっても各サブキャリアの受信品質の低下を抑制することができる。
【０２６８】
（実施の形態６）
実施の形態６について、実施の形態１〜５と異なる部分について説明する。実施の形態６においては、たとえば、伝送システム１００の起動時の各サブキャリアの波長を決定する際に、運用時よりも各サブキャリアのスペクトラムの幅を広くし、運用開始時に各サブキャリアのスペクトラムの幅を狭くする構成について説明する。
【０２６９】
サブキャリアのスペクトラムの幅は、たとえばサブキャリアのボーレート（Ｂａｕｄｒａｔｅ）やナイキストフィルタの設定によって変化する。サブキャリアのボーレートは、たとえばサブキャリアの変調方式によって変化する。
【０２７０】
（実施の形態６にかかる制御回路による各サブキャリアのボーレートの設定）
図３４は、実施の形態６にかかる制御回路による各サブキャリアのボーレートの設定の一例を示す図である。図３４に示すサブキャリア８１１ａ，１０１１ａ，１２１１ａ，１３１１ａは、サブキャリア＃１〜＃４の立ち上げ時に制御回路３３０によってボーレートを設定されたサブキャリア＃１〜＃４である。図３４に示すサブキャリア８１１ｂ，１０１１ｂ，１２１１ｂ，１３１１ｂは、サブキャリア＃１〜＃４の運用時に制御回路３３０によってボーレートを設定されたサブキャリア＃１〜＃４である。
【０２７１】
たとえば、サブキャリア８１１ａ，１０１１ａ，１２１１ａ，１３１１ａは、ＤＰ−ＱＰＳＫ（Ｄｕａｌ  Ｐｏｌａｒｉｚａｔｉｏｎ−Ｑｕａｄｒａｔｕｒｅ  Ｐｈａｓｅ  Ｓｈｉｆｔ  Ｋｅｙｉｎｇ）による３２［Ｇｂｐｓ］のボーレートである。たとえば、ＤＰ−ＱＰＳＫのサブキャリアは、ボーレートの３２［ＧＢｐｓ］×２（２［ｂｉｔ］）×２（Ｘ，Ｙ偏波）＝１２８［ＧＢｐｓ］となる。
【０２７２】
また、サブキャリア８１１ｂ，１０１１ｂ，１２１１ｂ，１３１１ｂは、ＤＰ−１６ＱＡＭ（Ｑｕａｄｒａｔｕｒｅ  Ａｍｐｌｉｔｕｄｅ  Ｍｏｄｕｌａｔｉｏｎ）による１６［Ｇｂｐｓ］のボーレートである。たとえば、ＤＰ−１６ＱＡＭのサブキャリアは、ボーレートの１６［ＧＢｐｓ］×４（４［ｂｉｔ］）×２（Ｘ，Ｙ偏波）＝１２８［ＧＢｐｓ］となる。
【０２７３】
このように、ＤＰ−ＱＰＳＫおよびＤＰ−１６ＱＡＭの各サブキャリアは、伝送速度が同じであってもボーレートが異なり、それによってスペクトラムの幅が異なる。図３４に示すように、制御回路３３０は、各サブキャリアの立ち上げ時のボーレートを、各サブキャリアの運用時のボーレートより高く設定することにより、各サブキャリアのスペクトラムの幅を運用時より広くする。
【０２７４】
（実施の形態６にかかる制御回路による運用開始時の処理）
図３５は、実施の形態６にかかる制御回路による運用開始時の処理の一例を示すフローチャートである。実施の形態６にかかる制御回路３３０は、光伝送システム３００における運用開始時に、たとえば図３３に示す各ステップを実行する。
【０２７５】
まず、制御回路３３０は、送信制御部３１３へ制御信号を送信することにより、サブキャリア＃１〜＃４のボーレートを、運用時のボーレートよりも高く設定する（ステップＳ３５０１）。たとえば、制御回路３３０は、サブキャリア＃１〜＃４のボーレートを、図３４に示したサブキャリア８１１ａ，１０１１ａ，１２１１ａ，１３１１ａのように３２［Ｇｂｐｓ］に設定する。
【０２７６】
つぎに、制御回路３３０は、光送信機３１１ａ〜３１１ｄ（＃１〜＃４）の周波数を設定することにより各サブキャリアの立ち上げを行う（ステップＳ３５０２）。ステップＳ３５０２による各サブキャリアの立ち上げは、一例としては、図１４，図１５に示したステップＳ１４０１〜Ｓ１４１８と同じ処理によって行うことができる。
【０２７７】
つぎに、制御回路３３０は、サブキャリア＃１〜＃４のボーレートを、運用時のボーレートに設定する（ステップＳ３５０３）。たとえば、制御回路３３０は、サブキャリア＃１〜＃４のボーレートを、図３４に示したサブキャリア８１１ｂ，１０１１ｂ，１２１１ｂ，１３１１ｂのように１６［Ｇｂｐｓ］に設定する。
【０２７８】
つぎに、制御回路３３０は、伝送装置３１０から伝送装置３２０へ、ユーザデータに基づく信号光を送信する運用を開始する制御を行い（ステップＳ３５０４）、運用開始時の一連の処理を終了する。
【０２７９】
立ち上げ時にサブキャリアのボーレートが高くなるように変調方式を切り替える場合について説明したが、立ち上げ時にサブキャリアのスペクトラムが広がるように光送信機３１１ａ〜３１１ｄのナイキストフィルタを制御してもよい。
【０２８０】
たとえば、光送信機３１１ａ〜３１１ｄは、ナイキストフィルタによってそれぞれサブキャリア＃１〜＃４のスペクトラムを制御する。ナイキストフィルタは、たとえばエコライザを用いた電気信号フィルタにより実現され、その電気信号フィルタのゲイン等を制御することによって各サブキャリアのスペクトラムの広さを変化させることができる。
【０２８１】
（実施の形態６にかかる制御回路による立ち上げ時のナイキストフィルタの設定）
図３６は、実施の形態６にかかる制御回路による立ち上げ時のナイキストフィルタの設定の一例を示す図である。図３６において、横軸は信号光の周波数を示し、縦軸は光強度を示す。図３６に示すサブキャリア３６０１は、光送信機３１１ａ〜３１１ｄにおいてナイキストフィルタによる処理前のサブキャリアを示している。
【０２８２】
フィルタ特性３６０２ａは、各サブキャリアの立ち上げ時における光送信機３１１ａ〜３１１ｄのナイキストフィルタの特性を示す。サブキャリア３６０３ａは、サブキャリア３６０１をフィルタ特性３６０２ａのナイキストフィルタによって処理することによって得られるサブキャリアである。
【０２８３】
図３６に示すように、ナイキストフィルタのフィルタ特性を、透過帯域が比較的広いフィルタ特性３６０２ａとすることにより、光送信機３１１ａ〜３１１ｄが送信するサブキャリア３６０３ａのスペクトラムを広くすることができる。
【０２８４】
（実施の形態６にかかる制御回路による運用時のナイキストフィルタの設定）
図３７は、実施の形態６にかかる制御回路による運用時のナイキストフィルタの設定の一例を示す図である。図３７において、図３６に示した部分と同様の部分については同一の符号を付して説明を省略する。図３６に示すフィルタ特性３６０２ｂは、各サブキャリアの運用時における光送信機３１１ａ〜３１１ｄのナイキストフィルタの特性を示す。サブキャリア３６０３ｂは、サブキャリア３６０１をフィルタ特性３６０２ｂのナイキストフィルタによって処理することによって得られるサブキャリアである。
【０２８５】
図３７に示すように、ナイキストフィルタのフィルタ特性を、透過帯域が比較的狭いフィルタ特性３６０２ｂとすることにより、光送信機３１１ａ〜３１１ｄが送信するサブキャリア３６０３ａのスペクトラムを狭くすることができる。
【０２８６】
このように、実施の形態６にかかる伝送システム１００によれば、監視用の信号光の受信品質のモニタを行う際の、波長を変化させる信号光のスペクトラムの幅を、運用の際の各信号光のスペクトラムの幅より広く設定することができる。
【０２８７】
これにより、隣接するサブキャリア間の干渉によって運用時よりも受信品質が低下しやすい状態で、受信品質のモニタ結果に基づいて各サブキャリアの運用開始時の周波数を設定することができる。したがって、波長を変化させた信号光の受信品質の検出精度を向上させることができる。このため、各サブキャリアの受信品質をより精度よく向上させる波長配置の調整を行うことができる。
【０２８８】
また、サブキャリアのスペクトラムの幅を広くして各サブキャリアの周波数を設定することで、光フィルタ１２１の透過帯域に対して余裕を有するように各サブキャリアの周波数を設定することができる。このため、たとえば光フィルタ１２１の透過帯域が経年変化によって狭くなったり、各装置の劣化や伝送路の状態が変動したりしても、伝送装置１２０における各サブキャリアの受信品質の低下を抑制することができる。
【０２８９】
たとえば、波長を変化させる信号光のボーレートを運用時のボーレートより高く調整することによって、波長を変化させる信号光のスペクトラムの幅を運用時より広くすることができる。または、波長を変化させる信号光を生成するナイキストフィルタの透過帯域を運用時より広く調整することによって、波長を変化させる信号光のスペクトラムの幅を運用時より広くすることができる。
【０２９０】
（実施の形態７）
実施の形態７について、実施の形態１〜６と異なる部分について説明する。実施の形態７においては、たとえば、サブキャリア＃１，＃４の一方の周波数の決定結果に応じて、サブキャリア＃１，＃４の他方の周波数のスイープの範囲を設定する構成について説明する。
【０２９１】
（実施の形態７にかかる光伝送システムにおける低周波側のサブキャリアのスイープ）
図３８は、実施の形態７にかかる光伝送システムにおける低周波側のサブキャリアのスイープの一例を示す図である。実施の形態７にかかる制御回路３３０は、最も低周波側のサブキャリア＃１について、たとえば実施の形態１と同様に、光送信機３１１ａ（＃１）の周波数を周波数ｆ１０から周波数ｆ１１までスイープさせる。これにより、受信品質が所定値Ａとなる光送信機３１１ａ（＃１）の周波数ｆ１２を特定することができる。
【０２９２】
図３８に示す透過帯域３８０１は、光チャネルフィルタ３２１の周波数透過特性３２１ａにおける既知の透過帯域である。透過帯域３８０１の最も低周波側の周波数を周波数ｆａとし、透過帯域３８０１の最も高周波側の周波数を周波数ｆｂとする。
【０２９３】
制御回路３３０は、たとえば下記（４）式により、特定した周波数ｆ１２と周波数ｆａとの差分ｆΔを算出する。
【０２９４】
ｆΔ＝ｆ１２−ｆａ  …（４）
【０２９５】
そして、制御回路３３０は、最も高周波側のサブキャリア＃４の周波数を決定するために光送信機３１１ｄ（＃４）の周波数をスイープさせる際の最初の周波数ｆ４ｂを、たとえば下記（５）式により決定する。
【０２９６】
ｆ４ｂ＝ｆｂ−ｆΔ  …（５）
【０２９７】
または、制御回路３３０は、上記（５）式のｆｂ−ｆより余裕分の一定量だけ低い周波数を、光送信機３１１ｄ（＃４）の周波数をスイープさせる際の最初の周波数ｆ４ｂとして決定してもよい。
【０２９８】
（実施の形態７にかかる光伝送システムにおける高周波側のサブキャリアのスイープ）
図３９は、実施の形態７にかかる光伝送システムにおける高周波側のサブキャリアのスイープの一例を示す図である。実施の形態７にかかる制御回路３３０は、最も高周波側のサブキャリア＃４について、光送信機３１１ａ（＃１）の周波数を、上記（５）式によって決定した周波数ｆ４ｂから周波数ｆ４１までスイープさせる。
【０２９９】
図３８，図３９に示したように、制御回路３３０は、低周波側のサブキャリア＃１の周波数ｆ１２の決定結果に応じて、高周波側のサブキャリア＃２の周波数のスイープの範囲を設定する。たとえば、上記（４）式に基づく周波数ｆ１２と周波数ｆａとの差分ｆΔが小さい場合は、サブキャリア＃１のスイープを開始して比較的遅い段階でＢＥＲが所定値Ａに達したということである。
【０３００】
このような状況においては、サブキャリア＃４のスイープを開始した際にも、比較的遅い段階でＢＥＲが所定値Ｂに達すると推定できる。すなわち、このような状況においては、サブキャリア＃４の周波数の候補のうちの低周波側におけるスイープは無駄になる可能性が高い。このような状況としては、たとえば光チャネルフィルタ３２１の透過帯域が設計値や平均値よりも広くなっている状況や、装置や伝送路の状況によって受信品質が比較的に高くなりやすい状況が考えられる。
【０３０１】
これに対して、上記（５）式によれば、差分ｆΔが小さい場合はサブキャリア＃４のスイープを開始する際の最初の周波数ｆ４ｂを比較的高く設定することができる。このため、サブキャリア＃４のＢＥＲが所定値Ｂとなる周波数ｆ４２を特定するためのサブキャリア＃４の周波数のスイープにかかる時間を短縮することができる。
【０３０２】
図３８，図３９に示した例では、透過帯域３８０１の両端の周波数ｆａ，ｆｂを基準として、低周波側の周波数ｆ１２の決定結果に応じて、高周波側のサブキャリア＃２の周波数のスイープの範囲を設定する構成について説明したが、このような構成に限らない。
【０３０３】
たとえば、光チャネルフィルタ３２１の中心周波数が周波数ｆｃで既知である場合は、制御回路３３０は、たとえば下記（６）式により、決定した周波数ｆ１２と周波数ｆｃとの差分ｆΔを算出してもよい。
【０３０４】
ｆΔ＝ｆｃ−ｆ１２  …（６）
【０３０５】
この場合に、制御回路３３０は、最も高周波側のサブキャリア＃４の周波数を決定するために光送信機３１１ｄ（＃４）の周波数をスイープさせる際の最初の周波数ｆ４ｂを、たとえば下記（７）式により決定する。
【０３０６】
ｆ４ｂ＝ｆｃ＋ｆΔ  …（７）
【０３０７】
または、制御回路３３０は、上記（７）式のｆｃ＋ｆΔより余裕分の一定量だけ低い周波数を、光送信機３１１ｄ（＃４）の周波数をスイープさせる際の最初の周波数ｆ４ｂとして決定してもよい。
【０３０８】
また、上述したように、高周波側のサブキャリア＃４の周波数ｆ４２を決定し、その後に低周波側のサブキャリア＃１の周波数ｆ１２を決定する構成としてもよい。この場合に、制御回路３３０は、高周波側のサブキャリア＃４の周波数ｆ４２の決定結果に応じて、低周波側のサブキャリア＃１の周波数のスイープの範囲を設定してもよい。
【０３０９】
このように、実施の形態７にかかる伝送システム１００によれば、最も長波長の第１信号光の波長の決定結果に基づいて、モニタ用の信号光の波長を最も短波長の第２信号光の波長の複数の候補に変化させる際の波長範囲（候補の範囲）を設定することができる。これにより、第２信号光の波長を変化させる処理（スイープ）を効率よく行うことができる。たとえば、第２信号光の波長を変化させる処理を短時間で行うことができる。
【０３１０】
または、実施の形態７にかかる伝送システム１００によれば、最も短波長の第２信号光の波長の決定結果に基づいて、モニタ用の信号光の波長を最も長波長の第１信号光の波長の複数の候補に変化させる際の波長範囲（候補の範囲）を設定することができる。これにより、第１信号光の波長を変化させる処理（スイープ）を効率よく行うことができる。たとえば、第１信号光の波長を変化させる処理を短時間で行うことができる。
【０３１１】
（実施の形態８）
実施の形態８について、実施の形態１〜７と異なる部分について説明する。実施の形態８においては、たとえば、各サブキャリアの初期波長を設定した後に、第１信号光や第２信号光と、第１信号光および第２信号光を除く信号光と、の各受信品質の均一化を図る構成について説明する。
【０３１２】
（実施の形態８にかかる制御回路による運用開始時の処理）
図４０および図４１は、実施の形態８にかかる制御回路による運用開始時の処理の一例を示すフローチャートである。実施の形態８にかかる制御回路３３０は、光伝送システム３００における運用開始時に、たとえば図４０，図４１に示す各ステップを実行する。
【０３１３】
まず、制御回路３３０は、光送信機３１１ａ〜３１１ｄ（＃１〜＃４）の周波数を設定することにより各サブキャリアの立ち上げを行う（ステップＳ４００１）。ステップＳ４００１による各サブキャリアの立ち上げは、一例としては、図１４，図１５に示したステップＳ１４０１〜Ｓ１４１８と同じ処理によって行うことができる。
【０３１４】
つぎに、制御回路３３０は、光受信機３２２ａ（＃１）からの受信品質情報を取得する（ステップＳ４００２）。ステップＳ４００２によって取得された受信品質情報が示す受信品質をＡとする。また、制御回路３３０は、光受信機３２２ｂ（＃２）からの受信品質情報を取得する（ステップＳ４００３）。ステップＳ４００３によって取得された受信品質情報が示す受信品質をＣとする。
【０３１５】
つぎに、制御回路３３０は、ステップＳ４００２，Ｓ４００３によって取得した各受信品質情報が示す受信品質Ａと受信品質Ｃが等しいか否かを判断する（ステップＳ４００４）。受信品質Ａと受信品質Ｃが等しい場合（ステップＳ４００４：Ｙｅｓ）は、制御回路３３０は、ステップＳ４０２０へ移行する。受信品質Ａと受信品質Ｃが等しくない場合（ステップＳ４００４：Ｎｏ）は、制御回路３３０は、受信品質Ａが受信品質Ｃより高いか否かを判断する（ステップＳ４００５）。
【０３１６】
ステップＳ４００５において、受信品質Ａが受信品質Ｃより高い場合（ステップＳ４００５：Ｙｅｓ）は、サブキャリア＃１の光チャネルフィルタ３２１による品質劣化が、サブキャリア＃１，＃２の間の干渉による品質劣化より小さいと判断することができる。この場合は、制御回路３３０は、サブキャリア＃１の新たな品質閾値としてＡ’＝（Ａ−Ｃ）／２を算出する（ステップＳ４００６）。この品質閾値Ａ’は、現在のサブキャリア＃１，＃２の各受信品質の平均値であり、サブキャリア＃１の受信品質を現在より悪化させる品質閾値である。
【０３１７】
つぎに、制御回路３３０は、光送信機３１１ａ（＃１）の低周波側へのスイープ開始を、制御信号により送信制御部３１３へ指示する（ステップＳ４００７）。これにより、送信制御部３１３が、光送信機３１１ａ（＃１）の周波数を低周波側へ変化させるスイープを開始する。
【０３１８】
つぎに、制御回路３３０は、光受信機３２２ａ（＃１）からの受信品質情報を取得する（ステップＳ４００８）。つぎに、制御回路３３０は、ステップＳ４００８によって取得した受信品質情報が示す光受信機３２２ａ（＃１）の受信品質が、ステップＳ４００６によって算出した品質閾値Ａ’と等しいか否かを判断する（ステップＳ４００９）。受信品質が品質閾値Ａ’と等しくない場合（ステップＳ４００９：Ｎｏ）は、制御回路３３０は、ステップＳ４００８へ戻る。
【０３１９】
ステップＳ４００９において、受信品質が品質閾値Ａ’と等しい場合（ステップＳ４００９：Ｙｅｓ）は、制御回路３３０は、その時点の光送信機３１１ａ（＃１）の周波数ｆ１２’を記憶する（ステップＳ４０１０）。これにより、光受信機３２２ａ（＃１）の受信品質が品質閾値Ａ’となる光送信機３１１ａ（＃１）の周波数ｆ１２’を得ることができる。
【０３２０】
つぎに、制御回路３３０は、光送信機３１１ａ（＃１）の周波数のスイープ停止を、制御信号により送信制御部３１３へ指示する（ステップＳ４０１１）。これにより、送信制御部３１３が、光送信機３１１ａ（＃１）の周波数のスイープを停止させる。
【０３２１】
つぎに、制御回路３３０は、光送信機３１１ａ（＃１）の、ステップＳ４０１０によって記憶した周波数ｆ１２’での発光を、制御信号により送信制御部３１３へ指示する（ステップＳ４０１２）。これにより、送信制御部３１３が、光送信機３１１ａ（＃１）の周波数を周波数ｆ１２’に設定する。そして、制御回路３３０は、ステップＳ４０２０へ移行する。
【０３２２】
ステップＳ４００５において、受信品質Ａが受信品質Ｃより低い場合（ステップＳ４００５：Ｎｏ）は、サブキャリア＃１の光チャネルフィルタ３２１による品質劣化が、サブキャリア＃１，＃２の間の干渉による品質劣化より大きいと判断することができる。この場合は、制御回路３３０は、サブキャリア＃１の新たな品質閾値としてＡ’＝（Ｃ−Ａ）／２を算出する（ステップＳ４０１３）。この品質閾値Ａ’は、現在のサブキャリア＃１，＃２の各受信品質の平均値であり、サブキャリア＃１の受信品質を現在より向上させる品質閾値である。
【０３２３】
つぎに、制御回路３３０は、光送信機３１１ａ（＃１）の高周波側へのスイープ開始を、制御信号により送信制御部３１３へ指示する（ステップＳ４０１４）。これにより、送信制御部３１３が、光送信機３１１ａ（＃１）の周波数を高周波側へ変化させるスイープを開始する。
【０３２４】
つぎに、制御回路３３０は、光受信機３２２ａ（＃１）からの受信品質情報を取得する（ステップＳ４０１５）。つぎに、制御回路３３０は、ステップＳ４０１５によって取得した受信品質情報が示す光受信機３２２ａ（＃１）の受信品質が、ステップＳ４０１３によって算出した品質閾値Ａ’と等しいか否かを判断する（ステップＳ４０１６）。受信品質が品質閾値Ａ’と等しくない場合（ステップＳ４０１６：Ｎｏ）は、制御回路３３０は、ステップＳ４０１５へ戻る。
【０３２５】
ステップＳ４０１６において、受信品質が品質閾値Ａ’と等しい場合（ステップＳ４０１６：Ｙｅｓ）は、制御回路３３０は、その時点の光送信機３１１ａ（＃１）の周波数ｆ１２’を記憶する（ステップＳ４０１７）。これにより、光受信機３２２ａ（＃１）の受信品質が品質閾値Ａ’となる光送信機３１１ａ（＃１）の周波数ｆ１２’を得ることができる。
【０３２６】
つぎに、制御回路３３０は、光送信機３１１ａ（＃１）の周波数のスイープ停止を、制御信号により送信制御部３１３へ指示する（ステップＳ４０１８）。これにより、送信制御部３１３が、光送信機３１１ａ（＃１）の周波数のスイープを停止させる。
【０３２７】
つぎに、制御回路３３０は、光送信機３１１ａ（＃１）の、ステップＳ４０１７によって記憶した周波数ｆ１２’での発光を、制御信号により送信制御部３１３へ指示する（ステップＳ４０１９）。これにより、送信制御部３１３が、光送信機３１１ａ（＃１）の周波数を周波数ｆ１２’に設定する。そして、制御回路３３０は、ステップＳ４０２０へ移行する。
【０３２８】
つぎに、制御回路３３０は、光受信機３２２ｄ（＃４）からの受信品質情報を取得する（ステップＳ４０２０）。ステップＳ４０２０によって取得された受信品質情報が示す受信品質をＢとする。また、制御回路３３０は、光受信機３２２ｃ（＃３）からの受信品質情報を取得する（ステップＳ４０２１）。ステップＳ４０２１によって取得された受信品質情報が示す受信品質をＤとする。
【０３２９】
つぎに、制御回路３３０は、ステップＳ４０２０，Ｓ４０２１によって取得した各受信品質情報が示す受信品質Ｂと受信品質Ｄが等しいか否かを判断する（ステップＳ４０２２）。受信品質Ｂと受信品質Ｄが等しい場合（ステップＳ４０２２：Ｙｅｓ）は、制御回路３３０は、ステップＳ４０３８へ移行する。受信品質Ｂと受信品質Ｄが等しくない場合（ステップＳ４０２２：Ｎｏ）は、制御回路３３０は、受信品質Ｂが受信品質Ｄより高いか否かを判断する（ステップＳ４０２３）。
【０３３０】
ステップＳ４０２３において、受信品質Ｂが受信品質Ｄより高い場合（ステップＳ４０２３：Ｙｅｓ）は、サブキャリア＃４の光チャネルフィルタ３２１による品質劣化が、サブキャリア＃３，＃４の間の干渉による品質劣化より小さいと判断することができる。この場合は、制御回路３３０は、サブキャリア＃４の新たな品質閾値としてＢ’＝（Ｂ−Ｄ）／２を算出する（ステップＳ４０２４）。この品質閾値Ｂ’は、現在のサブキャリア＃３，＃４の各受信品質の平均値であり、サブキャリア＃４の受信品質を現在より悪化させる品質閾値である。
【０３３１】
つぎに、制御回路３３０は、光送信機３１１ｄ（＃４）の高周波側へのスイープ開始を、制御信号により送信制御部３１３へ指示する（ステップＳ４０２５）。これにより、送信制御部３１３が、光送信機３１１ｄ（＃４）の周波数を高周波側へ変化させるスイープを開始する。
【０３３２】
つぎに、制御回路３３０は、光受信機３２２ｄ（＃４）からの受信品質情報を取得する（ステップＳ４０２６）。つぎに、制御回路３３０は、ステップＳ４０２６によって取得した受信品質情報が示す光受信機３２２ｄ（＃４）の受信品質が、ステップＳ４０２４によって算出した品質閾値Ｂ’と等しいか否かを判断する（ステップＳ４０２７）。受信品質が品質閾値Ｂ’と等しくない場合（ステップＳ４０２７：Ｎｏ）は、制御回路３３０は、ステップＳ４０２６へ戻る。
【０３３３】
ステップＳ４０２７において、受信品質が品質閾値Ｂ’と等しい場合（ステップＳ４０２７：Ｙｅｓ）は、制御回路３３０は、その時点の光送信機３１１ｄ（＃４）の周波数ｆ４２’を記憶する（ステップＳ４０２８）。これにより、光受信機３２２ｄ（＃４）の受信品質が品質閾値Ｂ’となる光送信機３１１ｄ（＃４）の周波数ｆ４２’を得ることができる。
【０３３４】
つぎに、制御回路３３０は、光送信機３１１ｄ（＃４）の周波数のスイープ停止を、制御信号により送信制御部３１３へ指示する（ステップＳ４０２９）。これにより、送信制御部３１３が、光送信機３１１ｄ（＃４）の周波数のスイープを停止させる。
【０３３５】
つぎに、制御回路３３０は、光送信機３１１ｄ（＃４）の、ステップＳ４０２８によって記憶した周波数ｆ４２’での発光を、制御信号により送信制御部３１３へ指示する（ステップＳ４０３０）。これにより、送信制御部３１３が、光送信機３１１ｄ（＃４）の周波数を周波数ｆ４２’に設定する。そして、制御回路３３０は、ステップＳ４０３８へ移行する。
【０３３６】
ステップＳ４０２３において、受信品質Ｂが受信品質Ｄより低い場合（ステップＳ４０２３：Ｎｏ）は、サブキャリア＃４の光チャネルフィルタ３２１による品質劣化が、サブキャリア＃３，＃４の間の干渉による品質劣化より大きいと判断することができる。この場合は、制御回路３３０は、サブキャリア＃４の新たな品質閾値としてＢ’＝（Ｄ−Ｂ）／２を算出する（ステップＳ４０３１）。この品質閾値Ｂ’は、現在のサブキャリア＃３，＃４の各受信品質の平均値であり、サブキャリア＃４の受信品質を現在より向上させる品質閾値である。
【０３３７】
つぎに、制御回路３３０は、光送信機３１１ｄ（＃４）の低周波側へのスイープ開始を、制御信号により送信制御部３１３へ指示する（ステップＳ４０３２）。これにより、送信制御部３１３が、光送信機３１１ｄ（＃４）の周波数を低周波側へ変化させるスイープを開始する。
【０３３８】
つぎに、制御回路３３０は、光受信機３２２ｄ（＃４）からの受信品質情報を取得する（ステップＳ４０３３）。つぎに、制御回路３３０は、ステップＳ４０３３によって取得した受信品質情報が示す光受信機３２２ｄ（＃４）の受信品質が、ステップＳ４０３１によって算出した品質閾値Ｂ’と等しいか否かを判断する（ステップＳ４０３４）。受信品質が品質閾値Ｂ’と等しくない場合（ステップＳ４０３４：Ｎｏ）は、制御回路３３０は、ステップＳ４０３３へ戻る。
【０３３９】
ステップＳ４０３４において、受信品質が品質閾値Ｂ’と等しい場合（ステップＳ４０３４：Ｙｅｓ）は、制御回路３３０は、その時点の光送信機３１１ｄ（＃４）の周波数ｆ４２’を記憶する（ステップＳ４０３５）。これにより、光受信機３２２ｄ（＃４）の受信品質が品質閾値Ｂ’となる光送信機３１１ｄ（＃４）の周波数ｆ４２’を得ることができる。
【０３４０】
つぎに、制御回路３３０は、光送信機３１１ｄ（＃４）の周波数のスイープ停止を、制御信号により送信制御部３１３へ指示する（ステップＳ４０３６）。これにより、送信制御部３１３が、光送信機３１１ｄ（＃４）の周波数のスイープを停止させる。
【０３４１】
つぎに、制御回路３３０は、光送信機３１１ｄ（＃４）の、ステップＳ４０３５によって記憶した周波数ｆ４２’での発光を、制御信号により送信制御部３１３へ指示する（ステップＳ４０３７）。これにより、送信制御部３１３が、光送信機３１１ｄ（＃４）の周波数を周波数ｆ４２’に設定する。そして、制御回路３３０は、ステップＳ４０３８へ移行する。
【０３４２】
つぎに、伝送装置３１０から伝送装置３２０へ、ユーザデータに基づく信号光を送信する運用を開始する制御を行い（ステップＳ４０３８）、運用開始時の一連の処理を終了する。また、ステップＳ４００５〜Ｓ４０１９による光送信機３１１ａの周波数の再設定や、ステップＳ４０２３〜Ｓ４０３７による光送信機３１１ｄの周波数の再設定を行った場合は、サブキャリア＃１，＃４の周波数ｆ１２，ｆ４２が変化している場合がある。
【０３４３】
このため、制御回路３３０は、たとえばステップＳ４０３８の前に、サブキャリア＃１，＃４の変化後の周波数ｆ１２，ｆ４２に基づくサブキャリア＃２，＃４の周波数の再設定を行ってもよい。周波数ｆ１２，ｆ４２に基づくサブキャリア＃２，＃４の周波数の再設定は、一例としては図１５に示したステップＳ１４１５〜Ｓ１４１８と同様の処理によって行うことができる。
【０３４４】
図４０，図４１においては、ステップＳ４００５〜Ｓ４０１９による光送信機３１１ａの周波数の再設定と、ステップＳ４０２０〜Ｓ４０３７による光送信機３１１ｄの周波数の再設定と、を行う構成について説明したが、このような構成に限らない。たとえば、光送信機３１１ａ（＃１）の周波数の再設定と、光送信機３１１ｄ（＃４）の周波数の再設定と、のいずれかを行う構成としてもよい。
【０３４５】
このように、実施の形態８にかかる伝送システム１００によれば、各サブキャリアの初期波長を設定した後に、第１信号光および第２信号光の少なくとも一方と、第１信号光および第２信号光を除く信号光と、の各受信品質を比較することができる。また、各受信品質を比較した結果に基づいて、第１信号光および第２信号光の少なくとも一方の波長を制御することができる。これにより、第１信号光および第２信号光の少なくとも一方と、第１信号光および第２信号光を除く信号光と、の各受信品質の均一化を図ることができる。
【０３４６】
たとえば、上述した所定値Ａ，Ｂが低過ぎると、サブキャリア＃１はより高周波側に、サブキャリア＃４はより低周波側に設定される。このため、サブキャリア＃１〜＃４の間隔が狭くなり、サブキャリア＃１〜＃４の間の干渉による品質劣化が、サブキャリア＃１，＃４の光チャネルフィルタ３２１による品質劣化より大きくなる。
【０３４７】
このような場合に、制御回路３３０は、サブキャリア＃１をより低周波側に、サブキャリア＃４をより高周波側に再設定する。これにより、サブキャリア＃１〜＃４の間の干渉による品質劣化と、サブキャリア＃１，＃４の光チャネルフィルタ３２１による品質劣化と、を同程度にし、サブキャリア＃１〜＃４の各受信品質を均一化することができる。
【０３４８】
一方、上述した所定値Ａ，Ｂが高過ぎると、サブキャリア＃１はより低周波側に、サブキャリア＃４はより高周波側に設定される。このため、サブキャリア＃１，＃４が光チャネルフィルタ３２１の帯域制限に近くなり、サブキャリア＃１，＃４の光チャネルフィルタ３２１による品質劣化が、サブキャリア＃１〜＃４の間の干渉による品質劣化より大きくなる。
【０３４９】
このような場合に、制御回路３３０は、サブキャリア＃１をより高周波側に、サブキャリア＃４をより低周波側に再設定する。これにより、サブキャリア＃１〜＃４の間の干渉による品質劣化と、サブキャリア＃１，＃４の光チャネルフィルタ３２１による品質劣化と、を同程度にし、サブキャリア＃１〜＃４の各受信品質を均一化することができる。
【０３５０】
（実施の形態９）
実施の形態９について、実施の形態１〜８と異なる部分について説明する。実施の形態１〜８においては、両端の各サブキャリアの周波数を決定した後に、両端以外の各サブキャリアの周波数を等間隔となるように決定する場合について説明したが、両端以外の各サブキャリアを周波数の決定方法はこれに限らない。実施の形態９においては、たとえば、各サブキャリアのそれぞれの周波数間隔が、各サブキャリアの各スペクトラムの幅に応じた周波数間隔となるように、サブキャリア＃２，＃３の周波数を決定する。
【０３５１】
（実施の形態９にかかる光伝送システムにおける各サブキャリア）
図４２は、実施の形態９にかかる光伝送システムにおける各サブキャリアの一例を示す図である。図４２において、図８，図１０，図１１，図１３に示した部分と同様の部分については同一の符号を付して説明を省略する。
【０３５２】
サブキャリアのスペクトラムの幅は、上述したボーレートやナイキストフィルタの設定などによって異なる。たとえば、図４２に示すように、サブキャリア＃３のスペクトラムの幅が、サブキャリア＃１，＃２，＃４のスペクトラムに対して２倍の幅であるとする。
【０３５３】
この場合に、仮にサブキャリア＃１〜＃４の周波数を等間隔で設定すると、サブキャリア＃１，＃２の間隔と比べてサブキャリア＃２〜＃４の間隔が狭くなる。このため、たとえば、サブキャリア＃２〜＃４の受信品質が、サブキャリア＃１の受信品質と比べて低くなり、サブキャリア＃１〜＃４の受信品質が不均一になる。
【０３５４】
（実施の形態９にかかる光伝送システムにおける両端以外のサブキャリアの周波数の決定）
図４３および図４４は、実施の形態９にかかる光伝送システムにおける両端以外のサブキャリアの周波数の決定の一例を示す図である。図４３，図４４において、図４２に示した部分と同様の部分については同一の符号を付して説明を省略する。
【０３５５】
たとえば、サブキャリア＃３はサブキャリア＃１，＃２，＃４と比べて２倍の幅を有するため、図４３に示すように、サブキャリア＃３を２個のサブキャリア１３１１ａ，１３１１ｂ（＃３ａ，＃３ｂ）として扱う。すなわち、両端のサブキャリア＃１，＃４を決定した後に、サブキャリア＃１，＃４の間に３個のサブキャリア１２１１，１３１１ａ，１３１１ｂが存在すると仮定して、サブキャリア＃１，＃４の間の帯域を４等分する。
【０３５６】
たとえば、制御回路３３０は、サブキャリア１２１１（＃２）の周波数ｆ２２を下記（８）式によって決定する。
【０３５７】
ｆ２２＝ｆ１２＋（（ｆ４２−ｆ１２）／４）  …（８）
【０３５８】
また、制御回路３３０は、サブキャリア１３１１ａ（＃３ａ）の周波数ｆ３２ａを下記（９）式によって決定する。
【０３５９】
ｆ３２ａ＝ｆ１２＋２×（（ｆ４２−ｆ１２）／４）  …（９）
【０３６０】
また、制御回路３３０は、サブキャリア１３１１ｂ（＃３ｂ）の周波数ｆ３２ｂを下記（１０）式によって決定する。
【０３６１】
ｆ３２ｂ＝ｆ１２＋３×（（ｆ４２−ｆ１２）／４）  …（１０）
【０３６２】
そして、図４４に示すように、制御回路３３０は、実際のサブキャリア１３１１（＃３）の周波数ｆ３２を下記（１１）式によって決定する。
【０３６３】
ｆ３２＝（ｆ３２ｂ−ｆ３２ａ）／２  …（１１）
【０３６４】
このように、実施の形態９にかかる伝送システム１００によれば、各信号光のそれぞれの波長間隔が、各信号光の各スペクトラムの幅に応じた波長間隔となるように、第１信号光および第２信号光を除く信号光の波長を決定することができる。たとえば、波長が隣接する信号光間の波長間隔が、それらの信号光のスペクトラムの幅が広いほど大きい波長間隔になるように、第１信号光および第２信号光を除く信号光の波長が決定される。これにより、各信号光の受信品質の均一化を図ることができる。
【０３６５】
一例としては、図４２に示した例において、サブキャリア＃３は、他のサブキャリア＃１，＃２，＃４に比べてスペクトラムの幅が広い。このため、サブキャリア＃３はサブキャリア＃２，＃４と隣接しているため、サブキャリア＃２〜＃４のそれぞれの波長間隔は、サブキャリア＃１，＃２の波長間隔より広く設定される。スペクトラムの幅が広いサブキャリア＃３における隣接サブキャリアとの波長間隔が広く設定され、サブキャリア＃３およびサブキャリア＃３と隣接するサブキャリア＃２，＃４の受信品質の低下を抑制することができる。
【０３６６】
以上説明したように、伝送装置および波長設定方法によれば、演算回路の規模の増大を抑えつつ短時間で波長配置の調整を行うことができる。また、上述した各実施の形態は、適宜組み合わせて実現することが可能である。
【０３６７】
たとえば、近年、通信機器の伝送容量は増大していく傾向であり、通信機器の大容量化および高速化が求められている。その対応のために、光通信伝送においては、高速化に向けては伝送速度が４０［Ｇｂｐｓ］から１００［Ｇｂｐｓ］が主流となり、大容量化に向けては複数の周波数を同時に用いて通信するＷＤＭシステムが用いられている。一般的なＷＤＭシステムは、ＯＩＦ（Ｏｐｔｉｃａｌ  Ｉｎｔｅｒｎｅｔｗｏｒｋｉｎｇ  Ｆｏｒｕｍ：オプティカルインターネットワーキングフォーラム）で周波数５０［ＧＨｚ］間隔で信号光が配置される規定となっている。
【０３６８】
また、伝送容量のより一層の拡大が要求される中で、従来のＷＤＭシステムより伝送効率を上げることができるスーパーチャネル（Ｓｕｐｅｒｃｈａｎｎｅｌ）方式が提唱されている。スーパーチャネルでは周波数をフレキシブルに対応することにより、伝送周波数を効率的に使用して、従来のＷＤＭ方式と比べ伝送容量の拡大を図ることができる。
【０３６９】
スーパーチャネル方式では、たとえば受信側の光チャネルフィルタで制限される周波数帯域を効率的に使用することが求められる。このため、周波数使用効率を向上させるために、周波数のグリッドを可能な限り狭く設定できることを要する。
【０３７０】
しかし、周波数の効率を求めるために各サブキャリアの間隔や、光チャネルフィルタの帯域制限とサブキャリアとの間の間隔を狭くし過ぎると、隣接サブキャリアとの干渉や帯域制限による減衰等につながり、信号品質の劣化を招く。このため、各サブキャリアの受信品質を向上させるためには、適切な周波数配置（波長配置）を要する。
【０３７１】
これに対して、たとえば、隣接チャネルとの干渉の影響を受けないようにチューニングするために、受信側で周波数間隙を検出して、その結果から送信の周波数を操作する手法が考えられる。しかしながら、その方法は、大量のＩＱベクトルと時間との対応データを取得して、デジタルフーリエ変換を行い、周波数間隔を厳密に計算するものであるため、大規模なメモリと複雑な演算処理回路を要する。また、算出された周波数間隙の情報を元に微調整制御を繰り返し行っているため、所望の周波数間隙に調整するまでに長い時間が要する場合がある。このように、大規模なメモリと複雑な演算処理回路を要する点や、周波数間隙を調整するまでに長い時間が要する点が課題として挙げられる。
【０３７２】
これに対して、上述した各実施の形態によれば、送信する信号光の波長を変化させつつ受信品質をモニタしてスーパーチャネルの両端のサブキャリアの波長を決定し、決定した波長により残りのサブキャリアの波長を決定することができる。これにより、演算量を抑えつつ短時間で波長配置を行うことができる。
【０３７３】
上述した各実施の形態に関し、さらに以下の付記を開示する。
【０３７４】
（付記１）送信された信号光から光フィルタにより所定帯域の光成分を抽出し、抽出した前記光成分に含まれる信号光を受信する受信側の伝送装置へ信号光を送信する伝送装置であって、
前記所定帯域に含まれる波長の各信号光を生成する複数の生成部と、
前記複数の生成部によって生成された前記各信号光を合波して前記受信側の伝送装置へ送信する送信部と、
前記複数の生成部に含まれる生成部が生成するモニタ用の信号光の波長を変化させながら、前記モニタ用の信号光の前記受信側の伝送装置における受信品質のモニタを行い、前記モニタの結果に基づいて、前記各信号光のうちの最も長波長の第１信号光および最も短波長の第２信号光の各波長を決定し、決定した前記各波長に基づいて前記各信号光のうちの前記第１信号光および前記第２信号光を除く信号光の波長を決定し、前記各信号光の波長の決定結果に基づいて前記各信号光の波長の制御を行う制御部と、
を備えることを特徴とする伝送装置。
【０３７５】
（付記２）前記制御部は、前記第１信号光および前記第２信号光の各波長を、前記受信品質がそれぞれ所定品質となるように決定することを特徴とする付記１に記載の伝送装置。
【０３７６】
（付記３）前記制御部は、
前記モニタ用の信号光の波長を前記第１信号光の波長の候補の範囲で変化させた際の前記モニタの結果に基づいて前記第１信号光の波長を決定し、
前記モニタ用の信号光の波長を前記第２信号光の波長の候補の範囲で変化させた際の前記モニタの結果に基づいて前記第２信号光の波長を決定する、
ことを特徴とする付記１または２に記載の伝送装置。
【０３７７】
（付記４）前記制御部は、前記各信号光の波長が等間隔になるように前記各信号光のうちの前記第１信号光および前記第２信号光を除く信号光の波長を決定することを特徴とする付記１〜３のいずれか一つに記載の伝送装置。
【０３７８】
（付記５）前記制御部は、
前記各信号光の波長の制御を、ユーザデータに基づいて前記複数の生成部によって生成された各信号光を前記送信部によって合波して前記受信側の伝送装置へ送信する運用の前に行い、
前記運用を開始した後に、前記複数の生成部によって生成された前記各信号光の少なくともいずれかの前記受信側の伝送装置における受信品質に基づいて、前記複数の生成部によって生成される前記各信号光の少なくともいずれかの波長を制御する、
ことを特徴とする付記１〜４のいずれか一つに記載の伝送装置。
【０３７９】
（付記６）前記受信側の伝送装置は、前記送信部によって送信された信号光と局発光を混合することにより前記送信された信号光を受信し、
前記制御部は、前記モニタ用の信号光の波長を変化させる際に、前記局発光の波長を前記モニタ用の信号光の波長と合わせて変化させる、
ことを特徴とする付記１〜５のいずれか一つに記載の伝送装置。
【０３８０】
（付記７）前記制御部は、前記モニタを行う際の前記光フィルタの前記所定帯域を、ユーザデータに基づいて前記複数の生成部によって生成された各信号光を前記送信部によって合波して前記受信側の伝送装置へ送信する運用の際の前記光フィルタの前記所定帯域より狭く設定することを特徴とする付記１〜６のいずれか一つに記載の伝送装置。
【０３８１】
（付記８）前記制御部は、前記モニタを行う際の前記モニタ用の信号光のスペクトラムの幅を、ユーザデータに基づいて前記複数の生成部によって生成された各信号光を前記送信部によって合波して前記受信側の伝送装置へ送信する運用の際の前記各信号光のスペクトラムの幅より広く設定することを特徴とする付記１〜７のいずれか一つに記載の伝送装置。
【０３８２】
（付記９）前記制御部は、前記モニタを行う際の前記モニタ用の信号光のスペクトラムの幅を、前記モニタ用の信号光のボーレートを調整することにより広くすることを特徴とする付記８に記載の伝送装置。
【０３８３】
（付記１０）前記制御部は、前記モニタを行う際の前記モニタ用の信号光のスペクトラムの幅を、前記複数の生成部に含まれる生成部において前記モニタ用の信号光を処理するナイキストフィルタを調整することにより広くすることを特徴とする付記８に記載の伝送装置。
【０３８４】
（付記１１）前記制御部は、
前記モニタ用の信号光の波長を前記第１信号光の波長の候補の範囲で変化させた際の前記モニタの結果に基づいて前記第１信号光の波長を決定し、
前記モニタ用の信号光の波長を前記第２信号光の波長の候補の範囲で変化させた際の前記モニタの結果に基づいて前記第２信号光の波長を決定し、
前記第１信号光および前記第２信号光のうちの一方の信号光の波長の決定結果に基づいて、前記モニタ用の信号光の波長を前記第１信号光および前記第２信号光のうちの他方の信号光の波長の候補の範囲で変化させる際の前記候補の範囲を設定する、
ことを特徴とする付記１〜１０のいずれか一つに記載の伝送装置。
【０３８５】
（付記１２）前記制御部は、前記各信号光の波長の制御を行った後に、前記第１信号光および前記第２信号光の少なくとも一方と、前記各信号光のうちの前記第１信号光および前記第２信号光を除く信号光と、の前記受信側の伝送装置における各受信品質を比較し、前記各受信品質の比較結果に基づいて前記第１信号光および前記第２信号光の少なくとも一方の波長を制御することを特徴とする付記１〜１１のいずれか一つに記載の伝送装置。
【０３８６】
（付記１３）前記制御部は、前記各信号光のそれぞれの波長間隔が、前記各信号光の各スペクトラムの幅に応じた波長間隔となるように、前記各信号光のうちの前記第１信号光および前記第２信号光を除く信号光の波長を決定することを特徴とする付記１〜１２のいずれか一つに記載の伝送装置。
【０３８７】
（付記１４）前記制御部は、前記各信号光において波長が隣接する信号光間の波長間隔が、前記波長が隣接する信号光のスペクトラムの幅が広いほど大きい波長間隔になるように、前記各信号光のうちの前記第１信号光および前記第２信号光を除く信号光の波長を決定することを特徴とする付記１３に記載の伝送装置。
【０３８８】
（付記１５）前記所定帯域は、スーパーチャネルの帯域であり、
前記各信号光は、前記スーパーチャネルに含まれる各サブキャリアである、
ことを特徴とする付記１〜１４のいずれか一つに記載の伝送装置。
【０３８９】
（付記１６）所定帯域に含まれる波長の各信号光を合波して送信する送信側の伝送装置により送信された信号光から前記所定帯域の光成分を抽出する光フィルタと、
前記光フィルタによって抽出された前記光成分に含まれる信号光を受信する受信部と、
前記送信側の伝送装置において前記各信号光を生成する複数の生成部に含まれる生成部が生成するモニタ用の信号光の波長を変化させながら、前記モニタ用の信号光が生成する信号光の前記受信側の伝送装置における受信品質のモニタを行い、前記モニタの結果に基づいて、前記各信号光のうちの最も長波長の第１信号光および最も短波長の第２信号光の各波長を決定し、決定した前記各波長に基づいて前記各信号光のうちの前記第１信号光および前記第２信号光を除く信号光の波長を決定し、前記各信号光の波長の決定結果に基づいて前記各信号光の波長の制御を行う制御部と、
を備えることを特徴とする伝送装置。
【０３９０】
（付記１７）所定帯域に含まれる波長の各信号光を合波して送信する送信側の伝送装置と、前記送信側の伝送装置から送信された信号光から光フィルタにより前記所定帯域の光成分を抽出し、抽出した前記光成分に含まれる信号光を受信する受信側の伝送装置と、を含む伝送システムにおける波長設定方法であって、
前記送信側の伝送装置において前記各信号光を生成する複数の生成部に含まれる生成部が生成するモニタ用の信号光の波長を変化させながら、前記モニタ用の信号光の前記受信側の伝送装置における受信品質のモニタを行い、
前記モニタの結果に基づいて、前記各信号光のうちの最も長波長の第１信号光および最も短波長の第２信号光の各波長を決定し、
決定した前記各波長に基づいて前記各信号光のうちの前記第１信号光および前記第２信号光を除く信号光の波長を決定し、
前記各信号光の波長の決定結果に基づいて前記各信号光の波長の制御を行う、
ことを特徴とする波長設定方法。
【符号の説明】
【０３９１】
１００  伝送システム
１１０，１２０，３１０，３２０  伝送装置
１１１ａ〜１１１ｃ  生成部
１１２  送信部
１１３  制御部
１２１  光フィルタ
１２２  受信部
２１０，２２０  スーパーチャネル
２１１〜２１４，２２１〜２２４，６１０，６２０，７１０，７２０，８１１，８１１ａ，８１１ｂ，１０１１，１０１１ａ，１０１１ｂ，１２１１，１２１１ａ，１２１１ｂ，１３１１，１３１１ａ，１３１１ｂ，３６０１，３６０３ａ，３６０３ｂ  サブキャリア
３００  光伝送システム
３０１  光伝送路
３１１ａ〜３１１ｄ，４００  光送信機
３１２  光合波器
３１３  送信制御部
３２１  光チャネルフィルタ
３２１ａ〜３２１ｃ  周波数透過特性
３２２ａ〜３２２ｄ，５００  光受信機
３３０  制御回路
４１０，５４０  ＤＳＰ
４２０  光変調器ドライバ
４３０，５１０  チューナブルＬＤ
４４０  光変調器
５２０  ＩＣＲ
５３１〜５３４  ＡＤＣ
５４１  品質モニタ
６３０  干渉部分
７１１，７２１  減衰部分
９１０，１１１０，１７１０  ＢＥＲ検出結果
３６０２ａ，３６０２ｂ  フィルタ特性
３８０１  透過帯域
【図１】
2017163423.tif 000003
【図２】
2017163423.tif 000004
【図３】
2017163423.tif 000005
【図４】
2017163423.tif 000006
【図５】
2017163423.tif 000007
【図６】
2017163423.tif 000008
【図７】
2017163423.tif 000009
【図８】
2017163423.tif 000010
【図９】
2017163423.tif 000011
【図１０】
2017163423.tif 000012
【図１１】
2017163423.tif 000013
【図１２】
2017163423.tif 000014
【図１３】
2017163423.tif 000015
【図１４】
2017163423.tif 000016
【図１５】
2017163423.tif 000017
【図１６】
2017163423.tif 000018
【図１７】
2017163423.tif 000019
【図１８】
2017163423.tif 000020
【図１９】
2017163423.tif 000021
【図２０】
2017163423.tif 000022
【図２１】
2017163423.tif 000023
【図２２】
2017163423.tif 000024
【図２３】
2017163423.tif 000025
【図２４】
2017163423.tif 000026
【図２５】
2017163423.tif 000027
【図２６】
2017163423.tif 000028
【図２７】
2017163423.tif 000029
【図２８】
2017163423.tif 000030
【図２９】
2017163423.tif 000031
【図３０】
2017163423.tif 000032
【図３１】
2017163423.tif 000033
【図３２】
2017163423.tif 000034
【図３３】
2017163423.tif 000035
【図３４】
2017163423.tif 000036
【図３５】
2017163423.tif 000037
【図３６】
2017163423.tif 000038
【図３７】
2017163423.tif 000039
【図３８】
2017163423.tif 000040
【図３９】
2017163423.tif 000041
【図４０】
2017163423.tif 000042
【図４１】
2017163423.tif 000043
【図４２】
2017163423.tif 000044
【図４３】
2017163423.tif 000045
【図４４】
2017163423.tif 000046